(57)【要約】  近距離通信（ＮＦＣ）装置は、ＮＦＣで利用可能なものより大きな帯域幅によって２つの装置間で通信し、過度の通信なしに両装置の適切なロールを決定するのに適した２次トランスポート機構を決定するため別の同様な装置と要求および応答メッセージを交換するＮＦＣイニシエータ装置またはＮＦＣターゲット装置として動作することができる。こうしたロールの決定は、規則またはロールの選択を指示する情報の交換によって行ってもよい。
2008545312.tif 000002
【特許請求の範囲】
【請求項１】
ターゲット近距離通信装置によって実行される方法であって、
イニシエータ近距離通信装置から近距離通信要求メッセージを受信するステップと、
前記イニシエータ近距離通信装置と情報を交換するための２次トランスポート機構を決定するステップと、
前記ターゲット近距離通信装置のロールを決定するステップと、
前記２次トランスポート機構を指示する応答メッセージを前記イニシエータ近距離通信装置に送信するステップと、
前記２次トランスポート機構を使用して前記情報を交換するための通信に前記イニシエータ近距離通信装置と共に参加するステップとを有する方法。
【請求項２】
前記応答メッセージで前記ターゲット近距離通信装置の前記ロールを識別するステップをさらに有する請求項１に記載の方法。
【請求項３】
前記ロールが規則に従って決定される、請求項１に記載の方法。
【請求項４】
前記ロールが、前記イニシエータ近距離通信装置からの前記メッセージ中の指示に従って決定される、請求項１に記載の方法。
【請求項５】
前記決定ステップが、
前記ターゲット近距離通信装置によって受信される前記要求メッセージで前記イニシエータ近距離通信装置によって識別される２次トランスポート機構の１つまたはそれより多い候補を比較するステップと、
前記２次トランスポート機構の１つまたはそれより多い候補が前記ターゲット近距離通信装置でサポートされていることを決定するステップとを有し、
その際前記送信ステップが、前記ターゲット近距離通信装置でサポートされる前記２次トランスポート機構の前記１つまたはそれより多い候補を指示する前記応答メッセージを前記イニシエータ近距離通信装置に送信するステップを有する、請求項１に記載の方法。
【請求項６】
前記応答メッセージで前記ターゲット近距離通信装置の前記ロールを識別するステップをさらに有する請求項５に記載の方法。
【請求項７】
前記ロールが規則に従って決定される、請求項６に記載の方法。
【請求項８】
前記ロールが、前記イニシエータ近距離通信装置からの前記要求メッセージ中の指示に従って決定される、請求項６に記載の方法。
【請求項９】
ターゲット近距離通信装置であって、
イニシエータ近距離通信装置から近距離通信要求メッセージを受信する手段と、
前記イニシエータ近距離通信装置と情報を交換するための２次トランスポート機構を決定する手段と、
前記ターゲット近距離通信装置のロールを決定する手段と、
前記２次トランスポート機構を指示する応答メッセージを前記イニシエータ近距離通信装置に送信する手段と、
前記２次トランスポート機構を使用して前記情報を交換するための通信に前記イニシエータ近距離通信装置と共に参加する手段とを備えるターゲット近距離通信装置。
【請求項１０】
前記応答メッセージで前記ターゲット近距離通信装置の前記ロールを識別する手段をさらに備える、請求項９に記載のターゲット近距離通信装置。
【請求項１１】
前記ロールが規則に従って決定される、請求項９に記載のターゲット近距離通信装置。
【請求項１２】
前記ロールが、前記イニシエータ近距離通信装置からの前記要求メッセージ中の指示に従って決定される、請求項９に記載のターゲット近距離通信装置。
【請求項１３】
前記決定手段が、
前記ターゲット近距離通信装置によって受信される前記要求メッセージで前記イニシエータ近距離通信装置によって識別される２次トランスポート機構の１つまたはそれより多い候補を比較する手段と、
前記２次トランスポート機構の１つまたはそれより多い候補が前記ターゲット近距離通信装置でサポートされていることを決定する手段とを備え、
その際前記応答メッセージを前記イニシエータ近距離通信装置に送信する前記手段が、前記ターゲット近距離通信装置でサポートされる前記２次トランスポート機構の前記１つまたはそれより多い候補を指示する、請求項９に記載のターゲット近距離通信装置。
【請求項１４】
前記応答メッセージで前記ターゲット近距離通信装置の前記ロールを識別する手段をさらに備える、請求項１３に記載のターゲット近距離通信装置。
【請求項１５】
前記ロールが規則に従って決定される、請求項１４に記載のターゲット近距離通信装置。
【請求項１６】
前記ロールが、前記イニシエータ近距離通信装置からの前記要求メッセージ中の指示に従って決定される、請求項１４に記載のターゲット近距離通信装置。
【請求項１７】
ターゲット近距離通信装置で請求項１のステップを実行する、コンピュータ可読媒体上に格納されたコンピュータプログラム。
【請求項１８】
ターゲット近距離通信装置で請求項１のステップを実行する集積回路。
【請求項１９】
イニシエータ近距離通信装置によって実行される方法であって、
ターゲット近距離通信装置に近距離通信要求メッセージを送信するステップと、
２次トランスポート機構の１つまたはそれより多い候補を識別するステップと、
２次トランスポート機構の前記１つまたはそれより多い候補のどれが前記ターゲット近距離通信装置でサポートされているかを指示する応答メッセージを前記ターゲット近距離通信装置から受信するステップと、
前記ターゲット近距離通信装置でどれがサポートされているか、または規則、または両方に従って、２次トランスポート機構を選択するステップと、
前記イニシエータ近距離通信装置のロールを決定するステップと、
前記２次トランスポート機構を使用して情報を交換するための通信に前記ターゲット近距離通信装置と共に参加するステップとを有する方法。
【請求項２０】
前記要求メッセージで前記イニシエータ近距離通信装置の前記ロールを識別するステップ、または前記応答メッセージから前記ロールを決定するステップをさらに有する請求項１９に記載の方法。
【請求項２１】
前記ロールが規則に従って決定される、請求項１９に記載の方法。
【請求項２２】
前記ロールが、前記ターゲット近距離通信装置からの前記応答メッセージ中の指示に従って決定される、請求項１９に記載の方法。
【請求項２３】
２次トランスポート機構を選択する前記ステップが、
前記ターゲット近距離通信装置でサポートされる２次トランスポート機構の前記候補と、該ターゲット近距離通信装置に送信された前記要求メッセージで識別された２次トランスポート機構の前記１つまたはそれより多い候補とを比較するステップと、
前記２次トランスポート機構を使用して情報を交換するための通信に前記ターゲット近距離通信装置と共に参加する前記ステップで使用するため前記ターゲット近距離通信装置でサポートされる前記２次トランスポート機構の１つを決定するステップとを有する、請求項１９に記載の方法。
【請求項２４】
前記要求メッセージで前記イニシエータ近距離通信装置の前記ロールを識別するステップ、または前記応答メッセージから前記ロールを決定するステップをさらに有する請求項２３に記載の方法。
【請求項２５】
前記ロールが規則に従って決定される、請求項２４に記載の方法。
【請求項２６】
前記ロールが、前記ターゲット近距離通信装置からの前記応答メッセージ中の指示に従って決定される、請求項２４に記載の方法。
【請求項２７】
イニシエータ近距離通信装置であって、
ターゲット近距離通信装置に、２次トランスポート機構の１つまたはそれより多い候補を識別する近距離通信要求メッセージを送信する手段と、
２次トランスポート機構の前記１つまたはそれより多い候補のどれが前記ターゲット近距離通信装置でサポートされているかを指示する応答メッセージを前記ターゲット近距離通信装置から受信する手段と、
前記ターゲット近距離通信装置でどれがサポートされているか、または規則、または両方に従って、２次トランスポート機構を選択する手段と、
前記イニシエータ近距離通信装置のロールを決定する手段と、
前記２次トランスポート機構を使用して情報を交換するための通信に前記ターゲット近距離通信装置と共に参加する手段とを備えるイニシエータ近距離通信装置。
【請求項２８】
前記要求メッセージで前記イニシエータ近距離通信装置のロールを識別する手段、または前記応答メッセージから前記ロールを決定する手段を備える、請求項２７に記載のイニシエータ近距離通信装置。
【請求項２９】
前記ロールが規則に従って決定される、請求項２７に記載のイニシエータ近距離通信装置。
【請求項３０】
前記ロールが、前記ターゲット近距離通信装置からの前記応答メッセージ中の指示に従って決定される、請求項２７に記載のイニシエータ近距離通信装置。
【請求項３１】
２次トランスポート機構を選択する前記手段が、
前記ターゲット近距離通信装置でサポートされる２次トランスポート機構の前記候補と、ターゲット近距離通信装置に送信された前記要求メッセージで識別された２次トランスポート機構の前記１つまたはそれより多い候補とを比較する手段と、
前記２次トランスポート機構を使用して情報を交換するための通信に前記ターゲット近距離通信装置と共に参加する前記ステップで使用するため前記ターゲット近距離通信装置でサポートされる前記２次トランスポート機構の１つを決定する手段とを備える、請求項２７に記載のイニシエータ近距離通信装置。
【請求項３２】
前記要求メッセージで前記イニシエータ近距離通信装置の前記ロールを識別する手段、または前記応答メッセージから前記ロールを決定する手段を備える、請求項３１に記載のイニシエータ近距離通信装置。
【請求項３３】
前記ロールが規則に従って決定される、請求項３２に記載のイニシエータ近距離通信装置。
【請求項３４】
前記ロールが、前記ターゲット近距離通信装置からの前記応答メッセージ中の指示に従って決定される、請求項３２に記載のイニシエータ近距離通信装置。
【請求項３５】
前記ターゲット近距離通信装置内で請求項１９のステップを実行する、コンピュータ可読媒体上に格納されたコンピュータプログラム。
【請求項３６】
ターゲット近距離通信装置内で請求項１９のステップを実行する集積回路。
【請求項３７】
（ａ）近距離通信イニシエータ装置または（ｂ）近距離通信ターゲット装置として装置を動作させる方法であって、
（ａ）（ｉ）ターゲット近距離通信装置に、２次トランスポート機構の１つまたはそれより多い候補を識別する近距離通信要求メッセージを送信することと、
（ｉｉ）２次トランスポート機構の前記１つまたはそれより多い候補のどれが前記ターゲット近距離通信装置でサポートされているかを指示する応答メッセージを前記ターゲット近距離通信装置から受信することと、
（ｉｉｉ）前記ターゲット近距離通信装置でどれがサポートされているか、または規則、または両方に従って、２次トランスポート機構を選択することと、
（ｉｖ）前記近距離通信イニシエータ装置のロールを決定することと、
（ｖ）前記２次トランスポート機構を使用して情報を交換するための通信に前記ターゲット近距離通信装置と共に参加することと、
によって、近距離通信イニシエータ装置として前記装置を動作させるステップ、または、
（ｂ）（ｉ）イニシエータ近距離通信装置から応答メッセージを受信することと、
（ｉｉ）前記イニシエータ近距離通信装置と情報を交換するための２次トランスポート機構を決定することと、
（ｉｉｉ）前記イニシエータ近距離通信装置に、前記２次転送機構を指示する応答メッセージ回答を送信することと、
（ｉｖ）前記ターゲット近距離通信装置のロールを決定することと、
（ｖ）前記２次トランスポート機構を使用して前記情報を交換するための通信に前記イニシエータ近距離通信装置と共に参加することと、
によって、近距離通信ターゲット装置として前記装置を動作させるステップを有する方法。
【請求項３８】
ＮＦＣイニシエータ装置または近距離通信ターゲット装置の何れかとして前記装置を動作させる場合、前記方法が、（ａ）前記要求メッセージまたは（ｂ）前記応答メッセージ中の前記イニシエータ近距離通信装置または前記近距離通信ターゲット装置の前記ロールを識別するステップをさらに有する、請求項３７に記載の方法。
【請求項３９】
近距離通信イニシエータ装置または近距離通信ターゲット装置として前記装置を動作させる場合、前記ロールが規則に従って決定される、請求項３７に記載の方法。
【請求項４０】
近距離通信イニシエータ装置または近距離通信ターゲット装置として前記装置を動作させる場合、前記ロールが、それぞれ、前記ターゲット近距離通信装置からの応答メッセージまたは前記イニシエータ近距離通信装置からの前記要求メッセージの指示に従って決定される、請求項３８に記載の方法。
【請求項４１】
近距離通信イニシエータ装置として前記装置を動作させる場合、２次トランスポート機構を選択する前記ステップが、
前記ターゲット近距離通信装置でサポートされる２次トランスポート機構の前記候補と、ターゲット近距離通信装置に送信された要求メッセージで識別された２次トランスポート機構の前記１つまたはそれより多い候補とを比較するステップと、
前記２次トランスポート機構を使用して情報を交換するための通信の確立に前記ターゲット近距離通信装置と共に参加する前記ステップで使用するため前記ターゲット近距離通信装置でサポートされる前記２次トランスポート機構の１つを決定するステップとを有する、請求項３７に記載の方法。
【請求項４２】
近距離通信ターゲット装置として前記装置を動作させる場合、前記決定ステップが、
前記ターゲット近距離通信装置によって受信される前記要求メッセージ中で前記イニシエータ近距離通信装置によって識別される２次トランスポート機構の１つまたはそれより多い候補を比較するステップと、
前記２次トランスポート機構の１つまたはそれより多い候補が前記ターゲット近距離通信装置でサポートされていることを決定するステップとを含み、
その際前記送信ステップが、前記ターゲット近距離通信装置でサポートされる前記２次トランスポート機構の前記１つまたはそれより多い候補を指示する前記応答メッセージを前記イニシエータ近距離通信装置に送信するステップを有する、請求項４１に記載の方法。
【請求項４３】
近距離通信ターゲット装置として前記装置を動作させる場合、前記決定ステップが、
前記ターゲット近距離通信装置によって受信される前記要求メッセージ中で前記イニシエータ近距離通信装置によって識別される２次トランスポート機構の１つまたはそれより多い候補を比較するステップと、
前記２次トランスポート機構の１つまたはそれより多い候補が前記ターゲット近距離通信装置でサポートされていることを決定するステップとを有し、
その際前記送信ステップが、前記ターゲット近距離通信装置でサポートされる前記２次トランスポート機構の前記１つまたはそれより多い候補を指示する前記応答メッセージを前記イニシエータ近距離通信装置に送信するステップを有する、請求項３７に記載の方法。
【請求項４４】
近距離通信イニシエータ装置または近距離通信ターゲット装置の何れかとして前記装置を動作させる場合、前記方法が、（ａ）前記要求メッセージまたは（ｂ）前記応答メッセージ中の前記イニシエータ近距離通信装置または前記近距離通信ターゲット装置の前記ロールを指示するステップをさらに有する、請求項４２に記載の方法。
【請求項４５】
前記ロールが規則に従って決定される、請求項４４に記載の方法。
【請求項４６】
近距離通信イニシエータ装置または近距離通信ターゲット装置として前記装置を動作させる場合、前記ロールが、それぞれ、前記ターゲット近距離通信装置からの前記応答メッセージまたは前記イニシエータ近距離通信装置からの前記要求メッセージの指示に従って決定される、請求項４４に記載の方法。
【請求項４７】
（ａ）近距離通信イニシエータ装置または（ｂ）近距離通信ターゲット装置として動作する装置であって、
（ａ）（ｉ）ターゲット近距離通信装置に、２次トランスポート機構の１つまたはそれより多い候補を識別する近距離通信要求メッセージを送信するように構成された送信機と、
（ｉｉ）２次トランスポート機構の前記１つまたはそれより多い候補のどれが前記ターゲット近距離通信装置でサポートされているかを指示する応答メッセージを該ターゲット近距離通信装置から受信するように構成された装置と、
（ｉｉｉ）前記ターゲット近距離通信装置でどれがサポートされているか、または規則、または両方に従って、２次トランスポート機構を選択するように構成された装置と、
（ｉｖ）前記近距離通信イニシエータ装置のロールを決定するように構成された装置と、
（ｖ）前記２次トランスポート機構を使用して情報を交換するための通信に前記ターゲット近距離通信装置と共に参加するように構成された装置と、
を備える、近距離通信イニシエータ装置として動作するように構成された装置、または、
（ｂ）（ｉ）イニシエータ近距離通信装置から応答メッセージを受信するように構成された装置と、
（ｉｉ）前記イニシエータ近距離通信装置と情報を交換するための２次トランスポート機構を決定するように構成された装置と、
（ｉｉｉ）前記イニシエータ近距離通信装置に、前記２次トランスポート機構を指示する応答メッセージ回答を送信するように構成された装置と、
（ｉｖ）前記ターゲット近距離通信装置のロールを決定するように構成された装置と、
（ｖ）前記２次トランスポート機構を使用して情報を交換するための通信に前記イニシエータ近距離通信装置と共に参加するように構成された装置と、
を備える、近距離通信ターゲット装置として動作するように構成された装置を備える装置。
【請求項４８】
近距離通信イニシエータ装置または近距離通信ターゲット装置の何れかとして前記装置を動作させる場合、（ａ）前記要求メッセージまたは（ｂ）前記応答メッセージ中の前記イニシエータ近距離通信装置または前記近距離通信ターゲット装置のロールを識別するように構成された、請求項４７に記載の装置。
【請求項４９】
近距離通信イニシエータ装置または近距離通信ターゲット装置の何れかとして前記装置を動作させる場合、ロールが規則に従って決定される、請求項４７に記載の装置。
【請求項５０】
イニシエータ装置またはターゲット装置の何れかとして前記装置を動作させる場合、前記ロールが、それぞれ、前記ターゲット装置からの応答メッセージまたは前記イニシエータ装置からの前記要求メッセージの指示に従って決定される、請求項４８に記載の装置。
【請求項５１】
イニシエータ装置として前記装置を動作させる場合、２次トランスポート機構を選択するように構成された前記装置が、
ターゲット装置でサポートされる前記２次トランスポート機構の候補と、前記ターゲット装置に送信された要求メッセージで識別された該２次トランスポート機構の１つまたはそれより多い候補とを比較するように構成された装置と、
前記２次トランスポート機構を使用して情報を交換するための通信の確立に前記ターゲット装置と共に参加するステップで使用するため該ターゲット装置でサポートされる前記２次トランスポート機構の１つを決定するように構成された装置とを備える、請求項４７に記載の装置。
【請求項５２】
ターゲット装置として前記装置を動作させる場合、決定するように構成された前記装置が、
前記ターゲット装置によって受信される前記要求メッセージで前記イニシエータ装置によって識別される２次トランスポート機構の１つまたはそれより多い候補を比較するように構成された装置と、
前記２次トランスポート機構の１つまたはそれより多い候補が前記ターゲット装置でサポートされていることを決定するように構成された装置とを備え、
その際前記送信するように構成された装置が、前記ターゲット装置でサポートされる前記２次トランスポート機構の１つまたはそれより多い候補を指示する前記応答メッセージを前記イニシエータ装置に送信できる、請求項５１に記載の装置。
【請求項５３】
ターゲット装置として前記装置を動作させる場合、前記決定するように構成された装置が、
前記ターゲット装置によって受信される前記要求メッセージで前記イニシエータ装置によって識別される２次トランスポート機構の１つまたはそれより多い候補を比較するように構成された装置と、
２次トランスポート機構の１つまたはそれより多い候補が前記ターゲット装置でサポートされていることを決定するように構成された装置とを備え、
その際前記送信するように構成された装置が、前記ターゲット装置でサポートされる前記２次トランスポート機構の１つまたはそれより多い候補を指示する前記応答メッセージを前記イニシエータ装置に送信する、請求項４７に記載の装置。
【請求項５４】
近距離通信イニシエータ装置または近距離通信ターゲット装置の何れかとして動作する場合、前記装置が、（ａ）前記要求メッセージまたは（ｂ）前記応答メッセージ中のイニシエータ近距離通信装置または近距離通信ターゲット装置のロールを指示するように構成された装置をさらに備える、請求項５２に記載の装置。
【請求項５５】
前記ロールが規則に従って決定される、請求項５４に記載の装置。
【請求項５６】
イニシエータ装置またはターゲット装置として前記装置を動作させる場合、前記ロールが、それぞれ、前記ターゲット装置からの前記応答メッセージまたは前記イニシエータ装置からの前記要求メッセージの指示に従って決定される、請求項５４に記載の装置。
【請求項５７】
イニシエータ近距離通信装置であって、
ターゲット近距離通信装置に、２次トランスポート機構の１つまたはそれより多い候補を識別する近距離通信要求メッセージを送信するように構成された装置と、
前記２次トランスポート機構の１つまたはそれより多い候補のどれが前記ターゲット近距離通信装置でサポートされているかを指示する応答メッセージを前記ターゲット近距離通信装置から受信するように構成された装置と、
前記ターゲット近距離通信装置でどれがサポートされているか、または規則、または両方に従って、２次トランスポート機構を選択するように構成された装置と、
前記イニシエータ近距離通信装置のロールを決定するように構成された装置と、
前記２次トランスポート機構を使用して情報を交換するための通信に前記ターゲット近距離通信装置と共に参加するように構成された装置とを備えるイニシエータ近距離通信装置。
【請求項５８】
前記要求メッセージ中の前記イニシエータ近距離通信装置のロールを識別、または前記応答メッセージから前記ロールを決定するように構成された装置をさらに備える、請求項５７に記載のイニシエータ近距離通信装置。
【請求項５９】
前記ロールが規則に従って決定される、請求項５７に記載のイニシエータ近距離通信装置。
【請求項６０】
前記ロールが、前記ターゲット近距離通信装置からの前記応答メッセージ中の指示に従って決定される、請求項５７に記載のイニシエータ近距離通信装置。
【請求項６１】
２次トランスポート機構を選択するように構成された前記装置が、
前記ターゲット近距離通信装置でサポートされる２次トランスポート機構の前記候補と、該ターゲット近距離通信装置に送信された前記要求メッセージで識別された２次トランスポート機構の前記１つまたはそれより多い候補とを比較するように構成された装置と、
前記２次トランスポート機構を使用して情報を交換するための通信に前記ターゲット近距離通信装置と共に参加する前記ステップで使用するため前記ターゲット近距離通信装置でサポートされる前記２次トランスポート機構の１つを決定するように構成された装置とを備える、請求項５７に記載のイニシエータ近距離通信装置。
【請求項６２】
前記要求メッセージで前記イニシエータ近距離通信装置の前記ロールを識別、または前記応答メッセージから前記ロールを決定するように構成された装置をさらに備える、請求項６１に記載のイニシエータ近距離通信装置。
【請求項６３】
前記ロールが規則に従って決定される、請求項６２に記載のイニシエータ近距離通信装置。
【請求項６４】
前記ロールが、前記ターゲット近距離通信装置からの前記応答メッセージ中の指示に従って決定される、請求項６２に記載のイニシエータ近距離通信装置。
【請求項６５】
ターゲット近距離通信装置であって、
イニシエータ近距離通信装置から近距離通信要求メッセージを受信するように構成された装置と、
前記イニシエータ近距離通信装置と情報を交換するための２次トランスポート機構を決定するように構成された装置と、
前記ターゲット近距離通信装置のロールを決定するように構成された装置と、
前記イニシエータ近距離通信装置に、前記２次トランスポート機構を指示する応答メッセージを送信するように構成された装置と、
前記２次トランスポート機構を使用して情報を交換するための通信に前記イニシエータ近距離通信装置と共に参加するように構成された装置とを備えるターゲット近距離通信装置。
【請求項６６】
前記応答メッセージ中の前記ターゲット近距離通信装置の前記ロールを識別するように構成された装置をさらに備える、請求項６５に記載のターゲット近距離通信装置。
【請求項６７】
前記ロールが規則に従って決定される、請求項６５に記載のターゲット近距離通信装置。
【請求項６８】
前記ロールが、前記イニシエータ近距離通信装置からの前記要求メッセージ中の指示に従って決定される、請求項６５に記載の装置。
【請求項６９】
前記決定するように構成された装置が、
前記ターゲット近距離通信装置によって受信される前記要求メッセージで前記イニシエータ近距離通信装置によって識別される２次トランスポート機構の１つまたはそれより多い候補を比較するように構成された装置と、
前記２次トランスポート機構の１つまたはそれより多い候補が前記ターゲットＮＦＣ装置でサポートされていることを決定するように構成された装置とを備え、
前記イニシエータ近距離通信装置に前記応答メッセージを送信するように構成された前記装置が、前記ターゲット近距離通信装置でサポートされる前記２次トランスポート機構の前記１つまたはそれより多い候補を指示する、請求項６５に記載のターゲット近距離通信装置。
【請求項７０】
前記応答メッセージで前記ターゲット近距離通信装置の前記ロールを識別するように構成された装置をさらに備える、請求項６９に記載のターゲット近距離通信装置。
【請求項７１】
前記ロールが規則に従って決定される、請求項７０に記載のターゲット近距離通信装置。
【請求項７２】
前記ロールが、前記イニシエータ近距離通信装置からの前記要求メッセージ中の指示に従って決定される、請求項７０に記載の装置。
【発明の詳細な説明】
【技術分野】
【０００１】
本発明は、近距離通信（ＮＦＣ）無線周波数識別（ＲＦＩＤ）技術に関し、特に、読み取り機（イニシエータ）と受信機（ターゲット）という、２つのデータ搬送装置間の非接触データ転送能力の提供に関する。
【背景技術】
【０００２】
本発明に関する背景情報を得るために、読者は白書「近距離通信」、ＥＣＭＡインターナショナル刊、文書番号ECMA/TC32-TG19/2004/1（white paper entitled “Near Field Communication” published by ECMA International under document number ECMA/TC32-TG19/2004/1）を参照されたい。この文書は、無線ＬＡＮ（ＷＬＡＮ）またはブルートゥース（登録商標）通信といった、ＮＦＣ以外の２次通信技術を使用したより大きな帯域幅での通信の設定に必要なパラメータを交換するために近接させた、近距離通信を装備した装置を示す。ＮＦＣ読み取り装置はＮＦＣターゲット装置に対してデータ転送を開始し、データ交換要求を発行する。ターゲット装置は、それ自体でデータ処理を行うことのできる無電源メモリカードまたはインテリジェントＲＦＩＤ装置でもよい。メモリカードによるソリューションは、従来チケット業務で使用されており、ＲＦＩＤ装置対ＲＦＩＤ装置の通信のための新たな標準は、ECMA-340（ISO/IEC 18092（2004）およびETSI EN 302 190 v1.1.1（2005-02）も参照）によって規定されている。これらの文書は全てほぼ同様で、全て「近距離通信インタフェースプロトコル（ＮＦＣＩＰ−１）と題され、２つの装置間の半二重データ交換プロトコルを規定する。企業の中には、モバイル端末のような自社の携帯装置がサポートするＲＦＩＤプロトコルとしてＮＦＣＩＰの使用を決定したところもある。しかし、この考え方は、非携帯装置をも包含するように拡大してもよい。別言すれば、携帯装置を非携帯装置に近接させ、ＮＦＣ仕様に係る無線トランスポート機構を使用して情報を交換してもよいことになる。すなわち、ＮＦＣフォーラム準拠端末間のＲＦＩＤによるデータ転送が、ＴＶ、デジボックス、等といった多くの異なる種類の家電装置を包含することが予測できる。
【０００３】
この種のＲＦＩＤ通信の性質は、「接触」ベースであって、ＲＦＩＤターゲット装置は、比較的短時間ＲＦＩＤ読み取り装置のインテロゲーション（interrogation）領域内に保持される。この「接触」というパラダイムは、「接触」動作が時間で測定すると０．５秒以下であるべきだというユーザの経験の分析に基づいている。すなわち、ＮＦＣ  ＲＦＩＤは、かなり短い時間間隔（０．５秒未満）で転送を完了できる小さなデータ項目の交換にのみ適している。より大きなデータ項目の場合、ＷＬＡＮまたはブルートゥース技術といった、携帯装置（例えば、携帯電話または端末装置）で利用可能な代替転送機構を利用するのが好適である。多くの場合、ＲＦＩＤは、装置間の接続を手動で構築するユーザの案内を必要とする代わりに、２つの装置を接触させるだけでＲＦＩＤ通信を使用して通信の詳細を交換するユーザ入力の拡張と見ることができる。こうした通信を構築するには、比較的高速、すなわちＲＦＩＤの「接触」の間に、装置が能力のネゴシエーションを実行できる必要がある。
【０００４】
ＮＦＣイニシエータ装置が常に要求メッセージを送信し、ＮＦＣターゲット装置が応答メッセージによってその要求に応答するという通信の規則を考えることができる。しかし、理想的には、２つの装置間の能力のネゴシエーションは１対のメッセージにおいてなされるべきであり、すなわち、イニシエータからの１つの要求とターゲット装置からの１つの応答だけを必要とするべきである。
【０００５】
初期のＲＦＩＤの「接触」のためのこうした最小時間の要求を満足するために、対応するデータ処理の要求が最小である装置間のデータ交換についての規則が存在しなければならない。理想的には、ＲＦＩＤ通信に導入されるオーバヘッドをできる限り小さくするために、応答側装置は前もってデフォルトの応答を構成できるべきである。こうした静的メッセージ交換の構築を可能にするため、通信を確立する仕方およびサービスパラメータを選択し通信する仕方に関する規則を規定する必要がある。
【０００６】
ＮＦＣ  ＲＦＩＤ通信には、こうしたソリューションは存在していない。
【発明の開示】
【発明が解決しようとする課題】
【０００７】
本発明の目的は、ＲＦＩＤの通信時間を著しく高速かつ効率的にするプロトコルの規則およびフォーマットを提供することである。
【課題を解決するための手段】
【０００８】
本発明の第１の態様によれば、ターゲット近距離通信（ＮＦＣ）装置によって実行される方法は、イニシエータＮＦＣ装置からＮＦＣ要求メッセージを受信するステップと、前記イニシエータ装置と情報を交換するための２次トランスポート機構を決定するステップと、前記ターゲットＮＦＣ装置のロール（role）を決定するステップと、前記２次トランスポート機構を指示する応答メッセージを前記イニシエータＮＦＣ装置に送信するステップと、前記２次トランスポート機構を使用して前記情報を交換するための通信に前記イニシエータＮＦＣ装置と共に参加するステップとを有する。
【０００９】
さらに、本発明の第１の態様によれば、本方法はさらに、前記応答メッセージで前記ターゲットＮＦＣ装置の前記ロールを識別するステップとを有する。ロールは、イニシエータＮＦＣ装置からのメッセージ中の指示に従って決定してもよい。他方、ロールは、規則に従って決定してもよい。
【００１０】
さらに、本発明の第１の態様によれば、前記決定ステップは、前記ターゲットＮＦＣ装置によって受信される前記要求メッセージで前記イニシエータＮＦＣ装置によって識別される２次トランスポート機構の１つまたはそれより多い候補を比較するステップと、前記２次トランスポート機構の１つまたはそれより多い候補が前記ターゲットＮＦＣ装置でサポートされていることを決定するステップとを有し、その際前記送信ステップは、前記ターゲットＮＦＣ装置でサポートされる前記２次トランスポート機構の前記１つまたはそれより多い候補を指示する前記応答メッセージを前記イニシエータＮＦＣ装置に送信するステップを有する。前記ターゲットＮＦＣ装置のロールは前記応答メッセージで指示してもよい。また、ロールは規則に従って決定してもよい。
【００１１】
本発明の第２の態様によれば、ターゲット近距離通信（ＮＦＣ）装置は、イニシエータＮＦＣ装置からＮＦＣ要求メッセージを受信する手段と、前記イニシエータＮＦＣ装置と情報を交換するための２次トランスポート機構を決定する手段と、前記ターゲットＮＦＣ装置のロールを決定する手段と、前記２次トランスポート機構を指示する応答メッセージを前記イニシエータＮＦＣ装置に送信する手段と、前記２次トランスポート機構を使用して前記情報を交換するための通信に前記イニシエータＮＦＣ装置と共に参加する手段とを備える。コンピュータ可読媒体上に格納された、上記のステップを前記ターゲットＮＦＣ装置内で実行するためのコンピュータプログラムを提供してもよい。同様に、前記のステップを実行するための集積回路をターゲットＮＦＣ装置内に提供してもよい。
【００１２】
さらに、本発明の第２の態様によれば、ターゲットＮＦＣ装置はさらに、前記応答メッセージで前記ターゲットＮＦＣ装置の前記ロールを識別する手段を備える。ロールは規則に従って決定してもよい。また、ロールは前記イニシエータＮＦＣ装置からの前記要求メッセージ中の指示に従って決定する。
【００１３】
またさらに、本発明の第２の態様によれば、前記決定手段は、前記ターゲットＮＦＣ装置によって受信される前記要求メッセージで前記イニシエータＮＦＣ装置によって識別される２次トランスポート機構の１つまたはそれより多い候補を比較する手段と、前記２次トランスポート機構の１つまたはそれより多い候補が前記ターゲットＮＦＣ装置でサポートされていることを決定する手段とを備え、その際前記応答メッセージを前記イニシエータＮＦＣ装置に送信する前記手段は、前記ターゲットＮＦＣ装置でサポートされる前記２次トランスポート機構の前記１つまたはそれより多い候補を指示する。ターゲットＮＦＣ装置はさらに、前記応答メッセージ中の前記ターゲットＮＦＣ装置の前記ロールを識別する手段を備えてもよい。ロールは、前記イニシエータＮＦＣ装置からの前記要求メッセージ中の指示に従って決定してもよい。他方、ロールは規則に従って決定してもよい。
【００１４】
本発明の第３の態様によれば、イニシエータ近距離通信（ＮＦＣ）装置によって実行される方法は、ターゲットＮＦＣ装置にＮＦＣ要求メッセージを送信するステップと、２次トランスポート機構の１つまたはそれより多い候補を識別するステップと、２次トランスポート機構の前記１つまたはそれより多い候補のどれが前記ターゲットＮＦＣ装置でサポートされているかを指示する応答メッセージを前記ターゲットＮＦＣ装置から受信するステップと、前記ターゲットＮＦＣ装置でどれがサポートされているか、または規則、または両方に従って、２次トランスポート機構を選択するステップと、前記イニシエータＮＦＣ装置のロールを決定するステップと、前記２次トランスポート機構を使用して情報を交換するための通信に前記ターゲットＮＦＣ装置と共に参加するステップとを有する。
【００１５】
さらに、本発明の第３の態様によれば、本方法はさらに、前記要求メッセージ中の前記イニシエータＮＦＣ装置の前記ロールを識別するステップ、または前記応答メッセージから前記ロールを決定するステップとを有してもよい。ロールは、前記ターゲットＮＦＣ装置からの前記応答メッセージ中の指示に従って決定してもよい。また、前記ロールは規則に従って決定してもよい。また、前記ロールは、前記ターゲットＮＦＣ装置からの前記応答メッセージ中の指示に従って決定する。
【００１６】
またさらに、本発明の第３の態様によれば、２次トランスポート機構を選択するステップは、前記ターゲットＮＦＣ装置でサポートされる２次トランスポート機構の前記候補と、ターゲットＮＦＣ装置に送信された要求メッセージで識別された２次トランスポート機構の前記１つまたはそれより多い候補とを比較するステップと、前記２次トランスポート機構を使用して情報を交換するための通信に前記ターゲットＮＦＣ装置と共に参加する前記ステップで使用するため前記ターゲットＮＦＣ装置でサポートされる前記２次トランスポート機構の１つを決定するステップとを有する。
【００１７】
さらに、本発明の第３の態様によれば、本方法はさらに、前記要求メッセージ中の前記イニシエータＮＦＣ装置の前記ロールを識別するステップ、または前記応答メッセージから前記ロールを決定するステップを有する。また、前記ロールは規則に従って決定してもよい。また、前記ロールは、前記ターゲットＮＦＣ装置からの前記応答メッセージ中の指示に従って決定してもよい。
【００１８】
本発明の第４の態様によれば、イニシエータ近距離通信（ＮＦＣ）装置は、ターゲットＮＦＣ装置に、２次トランスポート機構の１つまたはそれより多い候補を識別するＮＦＣ要求メッセージを送信する手段と、２次トランスポート機構の前記１つまたはそれより多い候補のどれが前記ターゲットＮＦＣ装置でサポートされているかを指示する応答メッセージを前記ターゲットＮＦＣ装置から受信する手段と、前記ターゲットＮＦＣ装置でどれがサポートされているか、または規則、または両方に従って、２次トランスポート機構を選択する手段と、前記イニシエータＮＦＣ装置のロールを決定する手段と、前記２次トランスポート機構を使用して情報を交換するための通信に前記ターゲットＮＦＣ装置と共に参加する手段とを備える。前記ターゲットＮＦＣ装置内で上記のステップを実行するためコンピュータ可読媒体上に格納されたコンピュータプログラムを提供してもよい。同様に、上記のステップの全体または一部を実行するための集積回路をターゲットＮＦＣ装置内に提供してもよい。
【００１９】
さらに、本発明の第４の態様によれば、イニシエータＮＦＣ装置はさらに、前記要求メッセージ中の前記イニシエータＮＦＣ装置のロールを識別する手段、または前記応答メッセージから前記ロールを決定する手段を備える。また、ロールは規則に従って決定してもよい。また、ロールは、前記ターゲットＮＦＣ装置からの前記応答メッセージ中の指示に従って決定してもよい。
【００２０】
またさらに、本発明の第４の態様によれば、２次トランスポート機構を選択する前記手段は、前記ターゲットＮＦＣ装置でサポートされる２次トランスポート機構の前記候補と、ターゲットＮＦＣ装置に送信された要求メッセージで識別された２次トランスポート機構の前記１つまたはそれより多い候補とを比較する手段と、前記２次トランスポート機構を使用して情報を交換するための通信に前記ターゲットＮＦＣ装置と共に参加する前記ステップで使用するため前記ターゲットＮＦＣ装置でサポートされる前記２次トランスポート機構の１つを決定する手段とを備える。
【００２１】
さらに、本発明の第４の態様によれば、装置はさらに、前記要求メッセージ中の前記イニシエータＮＦＣ装置の前記ロールを識別する手段、または前記応答メッセージから前記ロールを決定する手段を備える。また、前記ロールは規則に従って決定してもよい。また、前記ロールは、前記ターゲットＮＦＣ装置からの前記応答メッセージ中の指示に従って決定してもよい。
【００２２】
本発明の第５の態様によれば、（ａ）近距離通信（ＮＦＣ）イニシエータ装置または（ｂ）ＮＦＣターゲット装置として装置を動作させる方法は、（ａ）ターゲットＮＦＣ装置に、２次トランスポート機構の１つまたはそれより多い候補を識別するＮＦＣ要求メッセージを送信することと、２次トランスポート機構の前記１つまたはそれより多い候補のどれが前記ターゲットＮＦＣ装置でサポートされているかを指示する応答メッセージを前記ターゲットＮＦＣ装置から受信することと、前記ターゲットＮＦＣ装置でどれがサポートされているか、または規則、または両方に従って、２次トランスポート機構を選択することと、前記ＮＦＣイニシエータ装置のロールを決定することと、前記２次トランスポート機構を使用して情報を交換するための通信に前記ターゲットＮＦＣ装置と共に参加することとによって、ＮＦＣイニシエータ装置として前記装置を動作させるステップ、または（ｂ）イニシエータＮＦＣ装置から応答メッセージを受信することと、前記イニシエータＮＦＣ装置と情報を交換するための２次トランスポート機構を決定することと、前記イニシエータＮＦＣ装置に、前記２次転送機構を指示する応答メッセージ回答を送信することと、前記ターゲットＮＦＣ装置のロールを決定することと、前記２次トランスポート機構を使用して前記情報を交換するための通信に前記イニシエータＮＦＣ装置と共に参加することとによって、ＮＦＣターゲット装置として前記装置を動作させるステップを有する。
【００２３】
さらに、本発明の第５の態様によれば、ＮＦＣイニシエータ装置またはＮＦＣターゲット装置の何れかとして前記装置を動作させる場合、前記方法はさらに、（ａ）前記要求メッセージまたは（ｂ）前記応答メッセージ中の前記イニシエータＮＦＣ装置または前記ＮＦＣターゲット装置の前記ロールを識別するステップを有する。他方、ＮＦＣイニシエータ装置またはＮＦＣターゲット装置として前記装置を動作させる場合、前記ロールは規則に従って決定してもよい。また、ＮＦＣイニシエータ装置またはＮＦＣターゲット装置として前記装置を動作させる場合、前記ロールは、それぞれ、前記ターゲットＮＦＣ装置からの応答メッセージまたは前記イニシエータＮＦＣ装置からの前記要求メッセージの指示に従って決定してもよい。
【００２４】
またさらに、本発明の第５の態様によれば、ＮＦＣイニシエータ装置として前記装置を動作させる場合、２次トランスポート機構を選択する前記ステップは、前記ターゲットＮＦＣ装置でサポートされる２次トランスポート機構の前記候補と、ターゲットＮＦＣ装置に送信された要求メッセージで識別された２次トランスポート機構の前記１つまたはそれより多い候補とを比較するステップと、前記２次トランスポート機構を使用して情報を交換するための通信の確立に前記ターゲットＮＦＣ装置と共に参加する前記ステップで使用するため前記ターゲットＮＦＣ装置でサポートされる前記２次トランスポート機構の１つを決定するステップとを有する。ＮＦＣターゲット装置として前記装置を動作させる場合、前記決定ステップは、前記ターゲットＮＦＣ装置によって受信される前記要求メッセージで前記イニシエータＮＦＣ装置によって識別される２次トランスポート機構の１つまたはそれより多い候補を比較するステップと、前記２次トランスポート機構の１つまたはそれより多い候補が前記ターゲットＮＦＣ装置でサポートされていることを決定するステップとを有し、その際前記送信ステップは、前記ターゲットＮＦＣ装置でサポートされる前記２次トランスポート機構の前記１つまたはそれより多い候補を指示する前記応答メッセージを前記イニシエータＮＦＣ装置に送信するステップを有する。ＮＦＣターゲット装置として前記装置を動作させる場合、前記決定ステップは、前記ターゲットＮＦＣ装置によって受信される前記要求メッセージ中で前記イニシエータＮＦＣ装置によって識別される２次トランスポート機構の１つまたはそれより多い候補を比較するステップと、前記２次トランスポート機構の１つまたはそれより多い候補が前記ターゲットＮＦＣ装置でサポートされていることを決定するステップとを有し、その際前記送信ステップは、前記ターゲットＮＦＣ装置でサポートされる前記２次トランスポート機構の前記１つまたはそれより多い候補を指示する前記応答メッセージを前記イニシエータＮＦＣ装置に送信するステップを有する。ＮＦＣイニシエータ装置またはＮＦＣターゲット装置の何れかとして前記装置を動作させる場合、前記方法はさらに、（ａ）前記要求メッセージまたは（ｂ）前記応答メッセージ中の前記イニシエータＮＦＣ装置または前記ＮＦＣターゲット装置の前記ロールを指示するステップを有する。また、前記ロールは規則に従って決定してもよい。また、ＮＦＣイニシエータ装置またはＮＦＣターゲット装置として前記装置を動作させる場合、前記ロールは、それぞれ、前記ターゲットＮＦＣ装置からの前記応答メッセージまたは前記イニシエータＮＦＣ装置からの前記要求メッセージの指示に従って決定してもよい。
【００２５】
すなわち、本発明によれば、２次ベアラ通信へのＮＦＣレベル通信のマッピングが、ユーザの入力を何ら必要とせずに、ＲＦＩＤレベルでの迅速なメッセージ交換とそれに続く２次ベアラ通信の自動確立とによってロールが確立される仕方で提供される。
【００２６】
簡単な静的メッセージ構造を事前に規定することによって、より高速なＲＦＩＤ通信が達成される。
【００２７】
本発明は、上記で言及した公開文書に準拠して製造されたいわゆる近距離装置での使用に特に適用可でありかつ有用であるが、何らかの特定の工業仕様に制限されるものではない。別言すれば、本発明は、装置が、非常に制限された距離でのみ使用可能な無線通信を使用する無線通信を装備しているあらゆる状況において有用であることが認識されるだろう。本出願で言及される「非常に制限された距離」とは、ブルートゥース通信およびＷＬＡＮ（本出願では「２次」通信技術と呼ばれる）といった既存の短距離無線通信で使用される距離よりさらに短い距離を意味する。例えば、現行のＮＦＣは数センチメートルの距離を意図している。これは、より長い距離で有用な、上記で言及した「２次」通信技術と区別される。例えば、ブルートゥース装置は普通、パワークラスに応じて１０メートル〜１００メートルの距離で通信することができ、１０ｃｍより短い距離では受信機によっては飽和することがあり全く使用できないことがある。すなわち、本出願で使用される「近距離通信」という用語は、ブルートゥース装置またはＷＬＡＮ装置について使用されるよりはるかに（少なくとも一桁）小さい距離での短距離通信を包含するものとして理解されるべきであり、この用語は何らかの特定の「ＮＦＣ」業界標準に制限されるものではない。
【００２８】
さらに、これに関連して、「近接」および「周辺」という用語は当業技術分野で周知である。１３．５６ＭＨｚの同じ動作周波数を使用して、異なる技術的アプローチに帰結する異なるターゲットが存在する。主要な相違点は、変調方式と、タグ（トランスポンダ）が必要とするインテロゲーション領域の電界強度にある。ＩＳＯ１４４４３は、通信速度１０６ｋビット／秒以上の高電力かつ高速の用途を目的としている。最小インテロゲーション電界強度は１．５Ａ／ｍで、１０ｃｍまでの距離での動作が可能となっている。ＩＳＯ１５６９３は、低電力かつ低通信速度（２６Ｋビット／秒）のものを目的としており、その結果動作距離は１ｍまでとなる。実際には、動作範囲１０ｃｍまでを近接と定義し、周辺は１ｍまででよいとするのが基本的なハードウェア／標準である。
【００２９】
本発明のこれらおよび他の目的、特徴および利点は、添付の図面に例示される、最良の形態の実施形態の以下の詳細な説明を考慮するとより明瞭になるだろう。
【発明を実施するための最良の形態】
【００３０】
図１は、各々近距離通信（ＮＦＣ）能力を装備した装置ＡおよびＢ間の通信フローを示す。例えば、装置Ａは、ブルートゥース技術と無線ローカルエリアネットワーク（ＷＬＡＮ）技術両方の能力を装備したモバイル電話の形態の携帯電子装置のような端末装置であると仮定する。ユーザは、例えば、やはりブルートゥース技術とＷＬＡＮ技術両方の能力を装備したラップトップコンピュータでもよい近くの装置Ｂ２０との通信の確立を希望する。装置Ａのユーザは、どのユーザが装置Ｂまたは装置Ｂに収容される情報に関する利用を希望、装置Ｂのユーザとの通信を希望、等しているかをアプリケーションプログラムに照会してもよい。ユーザは、装置Ａの通信能力のリストを含む通信に対する要求を含む、ＮＦＣ開始信号が線路２２で装置Ａ１０から装置Ｂ２０に送信されるように、適切な入力によってアプリケーションプログラムをナビゲートする。このシナリオでは、装置Ａは、ＥＣＭＡ−３４０、ＥＣＭＡ−３５２およびＥＣＭＡ−３５６といった近距離通信インタフェースおよびプロトコル仕様で指定されるＮＦＣイニシエータとして機能する。
【００３１】
図１の装置で行われることのシステムレベル記述である図２を参照すると、ステップ２３で開始した後、図１のイニシエータ１０は、前に図１に示したように線路２２上で、ステップ２４に示すようにメッセージをターゲット２０に送信する。図３に示すように、ステップ２６でターゲット装置２０が線路２２でイニシエータからのメッセージを受信するのが示される。ステップ２８で、ターゲット装置２０は、イニシエータからの信号が代替トランスポート機構の照会を含んでいるか否かを決定する。含んでいる場合、ステップ３０で、ＮＦＣターゲット装置２０は照会を評価し、照会中に含まれた情報に基づいて、照会側装置Ａ１０でサポートされているブルートゥース機構またはＷＬＡＮ機構といった共通トランスポート機構がターゲット装置２０でもサポートされているか否かを決定してもよい。サポートしている場合、ターゲット装置２０はさらに、ステップ３２で、どのトランスポート機構を使用すべきかを所定の規則に従って決定してもよい。こうした所定の規則は、イニシエータとターゲットとの間のメッセージ交換の数を最小化したい場合有用である。使用すべきトランスポート機構の決定に加えて、ＮＦＣターゲット装置２０はさらに、ステップ３２で、そのロールはイニシエータからの指示、または規則、またはそれらの両方のどれに従うべきかを決定してもよい。例えば、ブルートゥースのシナリオでは、マスタまたはスレーブの何れかを決定してもよい。その後、ステップ３４で、ＮＦＣターゲット装置２０は、利用可能なトランスポート機構（単数または複数、もしあれば）と、該当する場合、ターゲットが選択したロールとをイニシエータ装置１０に指示することを目的とした応答メッセージを準備する。ステップ２８で、（２次通信技術のセットアップを要求する）照会がないと決定されている場合は、例えば、単にターゲット装置２０のＲＦＩＤタグ上で利用可能な情報を指示するだけでよい。何れにしても、処理は図２のフローチャートに戻り、図１の線路３８上の信号によって示されるように、ターゲット装置２０がメッセージをイニシエータに返送するステップ３６が実行される。
【００３２】
図３のフローチャートは単に一例に過ぎず、ＮＦＣターゲット装置では、本発明に係る他の処理ステップも実行可能であることが認識されるだろう。その主要な理念は、ターゲット装置はイニシエータ装置からのメッセージに含まれる情報を処理して、本発明の目的に一致した、ＲＦＩＤ通信時間を著しく高速かつより有効にする規則およびフォーマットに準拠した応答を準備するということである。
【００３３】
ここで図４を参照すると、イニシエータ装置１０は、ステップ４０に示すように、線路３８でターゲット２０からメッセージを受信する。そして、ステップ４２に示すように、イニシエータ装置１０は、ターゲット装置２０で代替トランスポート機構が利用可能か否かに関する決定を行う。利用可能でない場合、遷移Ｅによって示されるように、処理は図４から図２の復帰ステップ５０に戻る。しかし、ステップ４２での決定により代替トランスポート機構が利用可能であることをターゲットが指示したならば、次にイニシエータ１０は、利用可能または好適であるというターゲットの指示および／または所定の規則に従ってトランスポート機構を選択するステップ４４を実行する。一旦それがなされると、ステップ４６に示すように、ＮＦＣイニシエータ装置１０は、ターゲットからの指示および／または所定の規則に従ってそのロールを決定する。そして処理は図２のステップに戻り、次にステップ４８が実行される。ステップ４８では、さらなるユーザ入力を必要とせずに、帯域幅がＮＦＣ技術のものより大きい、ブルートゥース、ＷＬＡＮ、または他の短距離無線通信セッションを確立する。そして、ステップ５０に示すように処理は復帰する。端末Ａおよび端末Ｂのロールは、ＮＦＣレベルのイニシエータ／ターゲットのロール選択に応じて交換可能であることが理解されるだろう。
ここで、いくつかのシナリオを説明する。
・端末Ａは送信すべきデータを有さず、端末Ｂは送信すべきデータを有する−端末Ａは、図２のステップ２４で、初期ＲＦＩＤ要求メッセージで、サポートされる通信能力パラメータ（ＢＴ／ＷＬＡＮ／他の短距離無線接続）のリストを端末Ｂ（ターゲット）に送信する。端末Ｂが送信すべき何らかのデータを有する場合、端末Ｂ（ターゲット）は、図３のステップ３０、３２および３４に従って、所定の規則を使用して通信方法とターゲット自体のロールとを選択し、図２のステップ３６で、選択した通信方法ＩＤ（ＢＴ／ＷＬＡＮ／他の短距離無線接続）によって端末Ａに応答し、さらに、場合によって、ロールの明示的な通信が必要であれば、そのロールを識別する。端末Ｂが送信すべきデータを有さない場合、他のベアラへのハンドオーバは行われない（当然のことながら、そのリンクは利用されない）。端末Ａと端末Ｂとの間のＮＦＣ  ＲＦＩＤ上で通信能力およびロールメッセージが交換された後、端末Ｂは、図２のステップ４８に示すように、端末間で以前に交換された情報に基づいて、端末Ａに対する２次ベアラ通信チャネルを起動する。
・端末Ａは送信すべきデータを有し、端末Ｂは送信すべきデータを有さない−端末Ａは、図２のステップ２４に示すように、初期ＮＦＣ  ＲＦＩＤメッセージで、サポートされる通信能力パラメータ（ＢＴ／ＷＬＡＮ／他の短距離無線接続）のリストを端末Ｂ（ターゲット）に送信する。端末Ｂ（ターゲット）は、ステップ３０、３２および３４で所定の規則を使用して通信方法およびロールを選択し、図２のステップ３６によって示されるように、選択した通信方法ＩＤ（ＢＴ／ＷＬＡＮ／他の短距離無線接続）によって端末Ａに応答する。端末Ａと端末Ｂとの間のＮＦＣ  ＲＦＩＤ上で通信能力メッセージが交換された後、端末Ａは、図２のステップ４８に示すように、端末間で以前に交換された情報に基づいて、端末Ｂに対する２次ベアラ通信チャネルを起動する。
・端末Ａは送信すべきデータを有し、端末Ｂも送信すべきデータを有する−ＮＦＣレベルのイニシエータおよびターゲットのロールを以下のように２次ベアラのロールにマッピングする。ＮＦＣイニシエータは、典型的にはブルートゥースのマスタである。典型的にはそうであろうとも、重要なことは、イニシエータ−ターゲットのロールを例えばＢＴマスタースレーブのロールにマッピングする仕方である。例えば、物理ＢＴアドレスの大きさが決め手となる規則であったり、または何らかのそうした同様の規則であったりといった、何らかの規則が存在するということである。同様の考え方は、ＷＬＡＮアドホックネットワークのホストロールとクライアントロールを決定する際にも当てはまるだろう。同様に、ＮＦＣターゲット装置のロールは典型的にはブルートゥースクライアントまたはＷＬＡＮアドホックネットワーククライアントであろう。すなわち、図３のステップ３２では、ターゲット装置２０は、この規則によりスレーブまたはクライアントであると結論付けられ、ターゲットにもこの規則は既知なので、規則情報をターゲット１０に返送する必要はない。
【００３４】
ここでも、イニシエータのロールは必ずしもマスタではなくターゲットは必ずしもスレーブではないが、このシナリオは、本発明に係る１つのあり得る結果であるということが認識されるだろう。ブルートゥースとＷＬＡＮの両者が両方の装置で利用可能である場合、どちらが優先されるかは装置の設定次第である。
【００３５】
上記で簡単に言及したように、ＢＴのマスタ−スレーブのロールを選択する別の典型的な規則は、ＢＴ装置のアドレスを比較して大きい方のアドレスを有する装置にマスタのロールを与え、小さい方のＢＴ装置にスレーブのロールを与えるというものでもよい。比較は、非制限的であるが、装置のＢＴ装置アドレスの英数字による比較、ＢＴ装置アドレスの整数への変換、算術演算の使用、等によって行ってもよい。
【００３６】
端末ＡおよびＢの間のメッセージ交換は、所定のプロトコルによって可能になる正規の接続ネゴシエーションであると考えられる。こうしたプロトコルは、２次接続を起動する仕方に関する同様の規則による上記の説明に基づいてモデル化してもよい。上記で説明した規則は、ＮＦＣイニシエータからＮＦＣターゲット、およびその逆への、サポートされる通信能力の交換を可能にするものである。また、本発明は、ＮＦＣレベルの通信ロール（イニシエータ／ターゲット）をブルートゥース／ＷＬＡＮレベルのネットワークロールにマッピングする仕方に関する規則をも規定する。ＲＦＩＤハードウェアのポーリングの必要があるため、こうしたロールなしには、双方向データ交換は不可能であろう。ここでは、ポーリングとは、時間ベースのパターンを使用して異なる種類のＲＦＩＤ装置を検索し、ポーリングシーケンスの期間に端末装置自体を異なるモードに設定することを指す。
【００３７】
別の例。
端末Ａは端末Ｂとデータを共有することを希望する。端末Ａ（ＮＦＣイニシエータ）は、初期ＲＦＩＤ要求メッセージでその通信能力（例えば、ＲＦＩＤ通信、ブルートゥースアドレスおよびＷＬＡＮアドホックネットワーク名）のリストを準備する。ＲＦＩＤ通信が確立されると（端末を接触させると）、図２のステップ２４に示すように、要求メッセージが端末Ａから端末Ｂに送信される。端末Ｂは、図２のステップ３６に示すように、端末Ｂの通信能力（例えば、ブルートゥースアドレス）を含む応答メッセージによって応答する。ＲＦＩＤメッセージを交換した後、端末ＡおよびＢは、両端末でサポートされているのはブルートゥースだけなので、ブルートゥース接続を開始する決定を行う。端末Ａはブルートゥースマスタのロールを引き受け、端末Ｂはブルートゥースクライアントのロールを引き受ける。
【００３８】
モバイル領域におけるイニシエータおよびターゲットという２つのＮＦＣ装置間のＲＦＩＤ通信の性質により、イニシエータおよびターゲットの選択は不変ではない。２つの端末ＡおよびＢがある場合、両者はＮＦＣイニシエータまたはターゲットとして機能してよいのであって、モバイル装置には両方の機能を果たす能力を組み込んでおくべきである。ＮＦＣ通信を成功させるには、一方のエンティティがイニシエータモードであり一方のエンティティがターゲットモードであることが常に必要とされる。
【００３９】
例えば、ブルートゥース接続の場合、装置の一方は、クライアントが接続できるホスト／マスタである必要がある（例えば、一方の端末からもう一方の端末に画像を送信する場合、受信側端末は送信側端末からの接続を受け入れる）。ここで、両方の端末が何らかの送信を希望し、ＮＦＣレベルのイニシエータ／ターゲットのロールのランダム性を利用するシナリオを考えると、ある種の規則によってデータ転送を編成する必要がある（例えば、ＮＦＣイニシエータが最初に画像を送信し、ＮＦＣターゲットがブルートゥースマスタになる、等）。
【００４０】
端末は、ＲＦＩＤを起動させる時はいつでも、それが引き受けるＮＦＣレベルのロールに係らず、ＮＦＣレベルのメッセージでその通信能力を提供することができる。ＮＦＣレベルのロールは、端末が異なる種類のＲＦＩＤ装置を探索する際に使用されるポーリングシーケンスを規定する。ＮＦＣイニシエータモードが選択されると、端末は、図２のステップ２４に示すように、通信能力のリストを含む初期要求メッセージを受信側エンティティに送信する。ＮＦＣターゲットモードが選択されると、端末は、図２のステップ３６に示すように、通信能力のリストを含む応答メッセージによって要求メッセージに応答する。
【００４１】
図３のステップと同様、図４に示すステップは本発明の１つの実施形態を表すものに過ぎず、異なるステップを異なる順序で実行して、ターゲットからの応答メッセージに含まれる情報をイニシエータに処理させる同じ目標を達成してもよいことが理解されるだろう。
【００４２】
図５に示すように、イニシエータ装置（Ａ）１０の典型的なプロトコルハンドラ９８は、線路１００で、異なるトランスポート機構および場合によっては対応するロールを識別して、サポートされる通信能力のリストを有する信号を送信する。これは、図２に示すステップ２４に先立つステップとして見ることができる。装置Ａ１０のＮＦＣ  ＲＦＩＤ部分１０２は、線路１０４で、装置Ａがサポートする通信方法のリストを含む要求メッセージ信号を、受信側（ターゲット）装置（Ｂ）２０のＲＦＩＤ部分１０６に送信する。ＲＦＩＤ部分１０６は、線路１０４で受信した情報を処理して、線路１０８に、ハンドラ１１０に理解されるフォーマットで、装置Ａの能力および場合によってはそのロールに関する関連情報を含む処理された情報を提供する。ハンドラ１１０は、例えば、図３のステップを実行するのに使用してもよい。そして、受信側装置（Ｂ）のプロトコルハンドラ１１０は、線路１１２でＲＦＩＤ部分１０６に返送される、端末装置Ｂの通信能力のリストを提供する。装置ＢのＮＦＣ  ＲＦＩＤ部分１０６は、線路１１４で、識別された通信能力を含む信号応答を、端末装置Ａ１０のＲＦＩＤ部分１０２に送信し、図４のステップが装置１０で実行される。
【００４３】
ＡおよびＢ両方の端末装置がサポートする通信能力と、ＮＦＣイニシエータ端末装置の設定（トランスポート方法の優先順位、例えばＷＬＡＮがＢＴより優先される、等）とに応じて、ＮＦＣイニシエータ装置は、図２のステップ４８に従って、端末装置Ｂへの接続を構築する。ブルートゥースの場合、ＮＦＣイニシエータ装置は典型的にはＢＴマスタロールを引き受け、典型的にはブルートゥーススレーブモードに設定された端末装置に接続する。ＷＬＡＮの場合、ＮＦＣイニシエータ装置はＷＬＡＮアドホックネットワークを構築し、端末装置Ｂはそれに接続する。
【００４４】
ＮＦＣイニシエータ装置からＮＦＣターゲット装置、およびその逆に通信パラメータを交換する利点は、異なる種類のＲＦＩＤ装置を検出し（これはＮＦＣイニシエータ／ターゲットのロールのランダム性に帰結する）、
・ＮＦＣイニシエータ端末だけがデータを受信側エンティティに送信する、
・ＮＦＣターゲット端末だけがデータを受信側エンティティに送信する、
・ＮＦＣイニシエータおよびターゲット両方の端末がデータを送信する、
といった場合に情報を交換するため異なるポーリングスキームをサポートできることである。
【００４５】
ＮＦＣフォーラムが規定したＮＦＣメッセージフォーマットを使用して、タグ−長さ−値の三つ組（triplet）を伝達することができ、この場合、
タグ記録はデータのコンテンツを識別し、
長さはそれに続くデータの長さであり、
値データは、タグ／種類によって規定される具体的なデータ、例えばブルートゥースアドレスである。
例えば、ＢＴアドレスは以下のように表すことができる。
−−−−−−−−−−−−−−−−−−−−−−−−−−−−−−−−−−−−−
|記録種類=BTアドレス(例えば、0x11)|長さ=10バイト|BTアドレス 0x012345679|
−−−−−−−−−−−−−−−−−−−−−−−−−−−−−−−−−−−−−
【００４６】
すなわち、ここで有益なもう１つのことは、２つの端末がデータの送信を同時に希望する時何が起こるかが記述されていることである。例えば、端末間の接続を確立するため、どの端末がブルートゥース（ＢＴ）マスタとなりどの端末がＢＴスレーブとなるかの決定は、このメッセージの記述に従ってなされる。
【００４７】
好適には、これは何らかの所定のものに基づくべきではない。なぜなら、
ａ）ＮＦＣレベルでは、イニシエータ／ターゲットのロールは「ランダム」に決定され（異なる装置をランダムなサイクルで検索するため）、
ｂ）ＢＴマスタのロールはすでに端末内で使用されていることがあり（例えば、電話に接続されたＢＴヘッドセット）、その場合端末はＢＴスレーブモードとなりたいからである。
【００４８】
図６は、メッセージペアの１つの例を記述する。ラベルの語句は短縮されているため文法的に正しくないが（例えばlengt）、意味は明瞭であろう。
【００４９】
図７は、電源７０２と、アンテナ７０６に結合された信号プロセッサ７０４とを含む近距離通信（ＮＦＣ）装置７００を示す。電源７０２は、電池と、信号プロセッサ７０４に電力を効率的に供給するための電力管理装置とを含んでもよい。また、図７には、アンテナ７０６を介して無線信号を送受信するための、信号プロセッサ７０４とアンテナ７０６との間の送受信機７０８が示されている。送受信機７０８は入出力装置７１０に接続され、入出力装置７１０はデータ、アドレスおよび制御バス７１２に接続され、そのバス７１２は、クロック７１４、中央処理装置７１６、ランダムアクセスメモリ７１８、および読み取り専用メモリ７２０を含む信号プロセッサ７０４の様々な構成要素を相互接続する。信号プロセッサ７０４には様々な他の構成要素が含まれてもよいが、簡略化のために図示しない。例えば図１〜図６で、本発明に関連して上記で開示した方法論によれば、例えば図２および図３のステップは、プログラミング言語で符号化し、近距離通信のシナリオでターゲット受信機として装置７００を使用することを保証する環境によって呼び出された時中央処理装置７１６によって実行するため読み取り専用メモリ７２０に格納してもよい。他方、図２および図４に示す方法ステップを反映するように符号化されたプログラムを格納してもよく、その場合装置７００は適当な状況で近距離通信イニシエータ装置として使用してもよい。すなわち、装置７００は、図１の装置１０または装置２０の何れかとして機能してよい。汎用信号プロセッサ７０４の代わりに、シリコン中に図１〜図６に示すものと同じ機能を実行するための一連のゲートおよび他の電子素子構成を装備した単数または複数（チップセット）の専用集積回路ハードウェアを使用してもよいことを当業者は認識するだろう。同様に、図８に示すように、装置８００は、図１〜図６に示す機能の一部または全部を実行し得るマイクロコントローラ８０２を備えており、他のこうした機能は、線路８０６上でマイクロコントローラと通信するホスト８０４において実行すればよい。すなわち、本出願で開示した機能はハードウェア、ソフトウェア、またはハードウェアおよびソフトウェアの組み合わせにおいて実行可能であることが理解されるだろう。また、図８の装置は水晶８１０と入出力装置８１２とを含む。マイクロコントローラ自体は、近距離および短距離の両方で適当な無線インタフェースを介して本発明の近距離通信と２次無線通信との両方を実行可能なアンテナ８１４に結合されているのが示される。
【００５０】
図９は、本発明のまた別の実施形態を示すフローチャートである。ステップ９００で開始した後、ステップ９０２で、１つまたはそれより多いトランスポート機構が要求メッセージ中にあるか否かが決定される。１つより多いものが指示された場合、ステップ９０４で、指示されたトランスポート機構の何れかがサポートされているか否かが決定される。サポートされていない場合、復帰３４がなされる。サポートされている場合、ステップ９０６で好適なトランスポート機構が選択される。ステップ９０２で、要求メッセージで指示されたトランスポート機構は１つだけだと決定された場合、ステップ９０４の代わりにステップ９０８が実行される。ステップ９０８では、１つの指示された機構がサポートされているか否かが決定される。サポートされていない場合、復帰３４がなされるが、サポートされている場合、これはステップ９０６の実行後と同様にステップ９１０が実行される。ステップ９１０では、イニシエータが送信側であるか否かが決定される。送信側である場合、接続される準備のためステップ９１２が実行される。この後復帰３４が続く。イニシエータが送信側でない場合、ステップ９１４でイニシエータに接続する準備がなされ、その後復帰３４が続く。
【００５１】
本発明の最良の形態の実施形態に関して本発明を図示し説明したが、本発明の精神および範囲から離れることなく、その形態および細部における上記および他の様々な変更、省略および追加をなしうることを当業者は理解するだろう。
【図面の簡単な説明】
【００５２】
【図１】本発明によるＲＦＩＤコンポーネントＡおよびＢ間の通信フローを示す図である。
【図２】すでに規定されたロールの２次ベアラ通信の確立に帰結する、本発明によるＮＦＣメッセージ交換のシステムレベル記述の例を示す図である。
【図３】本発明によるターゲットで実行される処理ステップの例を示す図である。
【図４】本発明によるイニシエータで実行される処理ステップの例を示す図である。
【図５】本発明によるイニシエータ／ターゲットに結合されたプロトコルハンドラに関する詳細を含む、Ａ側およびＢ側間の通信フローを示す本発明の実施例を示す図である。
【図６】本発明によるメッセージ転送の例を示す図である。
【図７】本発明によるＮＦＣ装置の例を示す図である。
【図８】本発明によるＮＦＣ装置の別の例を示す図である。
【図９】本発明による装置で実行され得る処理ステップの例を示す図である。
【図１】
2008545312.tif 000003
【図２】
2008545312.tif 000004
【図３】
2008545312.tif 000005
【図４】
2008545312.tif 000006
【図５】
2008545312.tif 000007
【図６】
2008545312.tif 000008
【図７】
2008545312.tif 000009
【図８】
2008545312.tif 000010
【図９】
2008545312.tif 000011
【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
ターゲット近距離通信装置によって実行される方法であって、
イニシエータ近距離通信装置から近距離通信要求メッセージを受信するステップと、
前記イニシエータ近距離通信装置と情報を交換するための２次トランスポート機構を決定するステップと、
前記ターゲット近距離通信装置の前記２次トランスポート機構におけるロールを決定するステップと、
応答メッセージを前記イニシエータ近距離通信装置に送信するステップであって、該応答メッセージは前記２次トランスポート機構を指示し且つ該２次トランスポート機構を介して接続を確立するのに必要な情報を含む、送信するステップと、
前記２次トランスポート機構を使用して前記情報を交換するための通信に前記イニシエータ近距離通信装置と共に参加するステップとを有する方法。
【請求項２】
前記応答メッセージで前記ターゲット近距離通信装置の前記ロールを識別するステップをさらに有する請求項１に記載の方法。
【請求項３】
前記ロールが規則に従って決定される、請求項１に記載の方法。
【請求項４】
前記ロールが、前記イニシエータ近距離通信装置からの前記メッセージ中の指示に従って決定される、請求項１に記載の方法。
【請求項５】
前記決定ステップが、
前記ターゲット近距離通信装置によって受信される前記要求メッセージで前記イニシエータ近距離通信装置によって識別される２次トランスポート機構の１つまたはそれより多い候補を比較するステップと、
前記２次トランスポート機構の１つまたはそれより多い候補が前記ターゲット近距離通信装置でサポートされていることを決定するステップとを有し、
その際前記送信ステップが、前記ターゲット近距離通信装置でサポートされる前記２次トランスポート機構の前記１つまたはそれより多い候補を指示する前記応答メッセージを前記イニシエータ近距離通信装置に送信するステップを有する、請求項１に記載の方法。
【請求項６】
前記応答メッセージで前記ターゲット近距離通信装置の前記ロールを識別するステップをさらに有する請求項５に記載の方法。
【請求項７】
前記ロールが規則に従って決定される、請求項６に記載の方法。
【請求項８】
前記ロールが、前記イニシエータ近距離通信装置からの前記要求メッセージ中の指示に従って決定される、請求項６に記載の方法。
【請求項９】
ターゲット近距離通信装置であって、
イニシエータ近距離通信装置から近距離通信要求メッセージを受信する手段と、
前記イニシエータ近距離通信装置と情報を交換するための２次トランスポート機構を決定する手段と、
前記ターゲット近距離通信装置の前記２次トランスポート機構におけるロールを決定する手段と、
応答メッセージを前記イニシエータ近距離通信装置に送信する手段であって、該応答メッセージは前記２次トランスポート機構を指示し且つ該２次トランスポート機構を介して接続を確立するのに必要な情報を含む、送信する手段と、
前記２次トランスポート機構を使用して前記情報を交換するための通信に前記イニシエータ近距離通信装置と共に参加する手段とを備えるターゲット近距離通信装置。
【請求項１０】
前記応答メッセージで前記ターゲット近距離通信装置の前記ロールを識別する手段をさらに備える、請求項９に記載のターゲット近距離通信装置。
【請求項１１】
前記ロールが規則に従って決定される、請求項９に記載のターゲット近距離通信装置。
【請求項１２】
前記ロールが、前記イニシエータ近距離通信装置からの前記要求メッセージ中の指示に従って決定される、請求項９に記載のターゲット近距離通信装置。
【請求項１３】
前記決定手段が、
前記ターゲット近距離通信装置によって受信される前記要求メッセージで前記イニシエータ近距離通信装置によって識別される２次トランスポート機構の１つまたはそれより多い候補を比較する手段と、
前記２次トランスポート機構の１つまたはそれより多い候補が前記ターゲット近距離通信装置でサポートされていることを決定する手段とを備え、
その際前記応答メッセージを前記イニシエータ近距離通信装置に送信する前記手段が、前記ターゲット近距離通信装置でサポートされる前記２次トランスポート機構の前記１つまたはそれより多い候補を指示する、請求項９に記載のターゲット近距離通信装置。
【請求項１４】
前記応答メッセージで前記ターゲット近距離通信装置の前記ロールを識別する手段をさらに備える、請求項１３に記載のターゲット近距離通信装置。
【請求項１５】
前記ロールが規則に従って決定される、請求項１４に記載のターゲット近距離通信装置。
【請求項１６】
前記ロールが、前記イニシエータ近距離通信装置からの前記要求メッセージ中の指示に従って決定される、請求項１４に記載のターゲット近距離通信装置。
【請求項１７】
ターゲット近距離通信装置で請求項１のステップを実行する、コンピュータ可読媒体上に格納されたコンピュータプログラム。
【請求項１８】
ターゲット近距離通信装置で請求項１のステップを実行する集積回路。
【請求項１９】
イニシエータ近距離通信装置によって実行される方法であって、
ターゲット近距離通信装置に近距離通信要求メッセージを送信するステップと、
２次トランスポート機構の１つまたはそれより多い候補を識別するステップと、
応答メッセージを前記ターゲット近距離通信装置から受信するステップであって、該応答メッセージは２次トランスポート機構の前記１つまたはそれより多い候補のどれが前記ターゲット近距離通信装置でサポートされているかを指示し且つ接続を確立するのに必要な情報を含む、受信するステップと、
前記ターゲット近距離通信装置でどれがサポートされているか、または規則、または両方に従って、２次トランスポート機構を選択するステップと、
前記イニシエータ近距離通信装置の前記２次トランスポート機構におけるロールを決定するステップと、
前記２次トランスポート機構を使用して前記接続を介して情報を交換するための通信に前記ターゲット近距離通信装置と共に参加するステップとを有する方法。
【請求項２０】
前記要求メッセージで前記イニシエータ近距離通信装置の前記ロールを識別するステップ、または前記応答メッセージから前記ロールを決定するステップをさらに有する請求項１９に記載の方法。
【請求項２１】
前記ロールが規則に従って決定される、請求項１９に記載の方法。
【請求項２２】
前記ロールが、前記ターゲット近距離通信装置からの前記応答メッセージ中の指示に従って決定される、請求項１９に記載の方法。
【請求項２３】
２次トランスポート機構を選択する前記ステップが、
前記ターゲット近距離通信装置でサポートされる２次トランスポート機構の前記候補と、該ターゲット近距離通信装置に送信された前記要求メッセージで識別された２次トランスポート機構の前記１つまたはそれより多い候補とを比較するステップと、
前記２次トランスポート機構を使用して情報を交換するための通信に前記ターゲット近距離通信装置と共に参加する前記ステップで使用するため前記ターゲット近距離通信装置でサポートされる前記２次トランスポート機構の１つを決定するステップとを有する、請求項１９に記載の方法。
【請求項２４】
前記要求メッセージで前記イニシエータ近距離通信装置の前記ロールを識別するステップ、または前記応答メッセージから前記ロールを決定するステップをさらに有する請求項２３に記載の方法。
【請求項２５】
前記ロールが規則に従って決定される、請求項２４に記載の方法。
【請求項２６】
前記ロールが、前記ターゲット近距離通信装置からの前記応答メッセージ中の指示に従って決定される、請求項２４に記載の方法。
【請求項２７】
イニシエータ近距離通信装置であって、
ターゲット近距離通信装置に、２次トランスポート機構の１つまたはそれより多い候補を識別する近距離通信要求メッセージを送信する手段と、
応答メッセージを前記ターゲット近距離通信装置から受信する手段であって、該応答メッセージは２次トランスポート機構の前記１つまたはそれより多い候補のどれが前記ターゲット近距離通信装置でサポートされているかを指示し且つ接続を確立するのに必要な情報を含む、受信する手段と、
前記ターゲット近距離通信装置でどれがサポートされているか、または規則、または両方に従って、２次トランスポート機構を選択する手段と、
前記イニシエータ近距離通信装置の前記２次トランスポート機構におけるロールを決定する手段と、
前記２次トランスポート機構を使用して前記接続を介して情報を交換するための通信に前記ターゲット近距離通信装置と共に参加する手段とを備えるイニシエータ近距離通信装置。
【請求項２８】
前記要求メッセージで前記イニシエータ近距離通信装置のロールを識別する手段、または前記応答メッセージから前記ロールを決定する手段を備える、請求項２７に記載のイニシエータ近距離通信装置。
【請求項２９】
前記ロールが規則に従って決定される、請求項２７に記載のイニシエータ近距離通信装置。
【請求項３０】
前記ロールが、前記ターゲット近距離通信装置からの前記応答メッセージ中の指示に従って決定される、請求項２７に記載のイニシエータ近距離通信装置。
【請求項３１】
２次トランスポート機構を選択する前記手段が、
前記ターゲット近距離通信装置でサポートされる２次トランスポート機構の前記候補と、ターゲット近距離通信装置に送信された前記要求メッセージで識別された２次トランスポート機構の前記１つまたはそれより多い候補とを比較する手段と、
前記２次トランスポート機構を使用して情報を交換するための通信に前記ターゲット近距離通信装置と共に参加する前記ステップで使用するため前記ターゲット近距離通信装置でサポートされる前記２次トランスポート機構の１つを決定する手段とを備える、請求項２７に記載のイニシエータ近距離通信装置。
【請求項３２】
前記要求メッセージで前記イニシエータ近距離通信装置の前記ロールを識別する手段、または前記応答メッセージから前記ロールを決定する手段を備える、請求項３１に記載のイニシエータ近距離通信装置。
【請求項３３】
前記ロールが規則に従って決定される、請求項３２に記載のイニシエータ近距離通信装置。
【請求項３４】
前記ロールが、前記ターゲット近距離通信装置からの前記応答メッセージ中の指示に従って決定される、請求項３２に記載のイニシエータ近距離通信装置。
【請求項３５】
前記ターゲット近距離通信装置内で請求項１９のステップを実行する、コンピュータ可読媒体上に格納されたコンピュータプログラム。
【請求項３６】
ターゲット近距離通信装置内で請求項１９のステップを実行する集積回路。
【請求項３７】
（ａ）近距離通信イニシエータ装置または（ｂ）近距離通信ターゲット装置として装置を動作させる方法であって、
（ａ）（ｉ）ターゲット近距離通信装置に、２次トランスポート機構の１つまたはそれより多い候補を識別する近距離通信要求メッセージを送信することと、
（ｉｉ）応答メッセージを前記ターゲット近距離通信装置から受信することであって、該応答メッセージは２次トランスポート機構の前記１つまたはそれより多い候補のどれが前記ターゲット近距離通信装置でサポートされているかを指示し且つ接続を確立するのに必要な情報を含む、受信することと、
（ｉｉｉ）前記ターゲット近距離通信装置でどれがサポートされているか、または規則、または両方に従って、２次トランスポート機構を選択することと、
（ｉｖ）前記近距離通信イニシエータ装置の前記２次トランスポート機構におけるロールを決定することと、
（ｖ）前記２次トランスポート機構を使用して前記接続を介して情報を交換するための通信に前記ターゲット近距離通信装置と共に参加することと、
によって、近距離通信イニシエータ装置として前記装置を動作させるステップ、または、
（ｂ）（ｉ）イニシエータ近距離通信装置から応答メッセージを受信することと、
（ｉｉ）前記イニシエータ近距離通信装置と情報を交換するための２次トランスポート機構を決定することと、
（ｉｉｉ）前記イニシエータ近距離通信装置に、応答メッセージ回答を送信することであって、該応答メッセージは前記２次トランスポート機構を指示し且つ該２次トランスポート機構を介して接続を確立するのに必要な情報を含む、送信することと、
（ｉｖ）前記ターゲット近距離通信装置の前記２次トランスポート機構におけるロールを決定することと、
（ｖ）前記２次トランスポート機構を使用して前記情報を交換するための通信に前記イニシエータ近距離通信装置と共に参加することと、
によって、近距離通信ターゲット装置として前記装置を動作させるステップを有する方法。
【請求項３８】
近距離通信イニシエータ装置または近距離通信ターゲット装置の何れかとして前記装置を動作させる場合、前記方法が、（ａ）前記要求メッセージまたは（ｂ）前記応答メッセージ中の前記イニシエータ近距離通信装置または前記近距離通信ターゲット装置の前記ロールを識別するステップをさらに有する、請求項３７に記載の方法。
【請求項３９】
近距離通信イニシエータ装置または近距離通信ターゲット装置として前記装置を動作させる場合、前記ロールが規則に従って決定される、請求項３７に記載の方法。
【請求項４０】
近距離通信イニシエータ装置または近距離通信ターゲット装置として前記装置を動作させる場合、前記ロールが、それぞれ、前記ターゲット近距離通信装置からの応答メッセージまたは前記イニシエータ近距離通信装置からの前記要求メッセージの指示に従って決定される、請求項３８に記載の方法。
【請求項４１】
近距離通信イニシエータ装置として前記装置を動作させる場合、２次トランスポート機構を選択する前記ステップが、
前記ターゲット近距離通信装置でサポートされる２次トランスポート機構の前記候補と、ターゲット近距離通信装置に送信された要求メッセージで識別された２次トランスポート機構の前記１つまたはそれより多い候補とを比較するステップと、
前記２次トランスポート機構を使用して情報を交換するための通信の確立に前記ターゲット近距離通信装置と共に参加する前記ステップで使用するため前記ターゲット近距離通信装置でサポートされる前記２次トランスポート機構の１つを決定するステップとを有する、請求項３７に記載の方法。
【請求項４２】
近距離通信ターゲット装置として前記装置を動作させる場合、前記決定ステップが、
前記ターゲット近距離通信装置によって受信される前記要求メッセージ中で前記イニシエータ近距離通信装置によって識別される２次トランスポート機構の１つまたはそれより多い候補を比較するステップと、
前記２次トランスポート機構の１つまたはそれより多い候補が前記ターゲット近距離通信装置でサポートされていることを決定するステップとを含み、
その際前記送信ステップが、前記ターゲット近距離通信装置でサポートされる前記２次トランスポート機構の前記１つまたはそれより多い候補を指示する前記応答メッセージを前記イニシエータ近距離通信装置に送信するステップを有する、請求項４１に記載の方法。
【請求項４３】
近距離通信ターゲット装置として前記装置を動作させる場合、前記決定ステップが、
前記ターゲット近距離通信装置によって受信される前記要求メッセージ中で前記イニシエータ近距離通信装置によって識別される２次トランスポート機構の１つまたはそれより多い候補を比較するステップと、
前記２次トランスポート機構の１つまたはそれより多い候補が前記ターゲット近距離通信装置でサポートされていることを決定するステップとを有し、
その際前記送信ステップが、前記ターゲット近距離通信装置でサポートされる前記２次トランスポート機構の前記１つまたはそれより多い候補を指示する前記応答メッセージを前記イニシエータ近距離通信装置に送信するステップを有する、請求項３７に記載の方法。
【請求項４４】
近距離通信イニシエータ装置または近距離通信ターゲット装置の何れかとして前記装置を動作させる場合、前記方法が、（ａ）前記要求メッセージまたは（ｂ）前記応答メッセージ中の前記イニシエータ近距離通信装置または前記近距離通信ターゲット装置の前記ロールを指示するステップをさらに有する、請求項４２に記載の方法。
【請求項４５】
前記ロールが規則に従って決定される、請求項４４に記載の方法。
【請求項４６】
近距離通信イニシエータ装置または近距離通信ターゲット装置として前記装置を動作させる場合、前記ロールが、それぞれ、前記ターゲット近距離通信装置からの前記応答メッセージまたは前記イニシエータ近距離通信装置からの前記要求メッセージの指示に従って決定される、請求項４４に記載の方法。
【請求項４７】
（ａ）近距離通信イニシエータ装置または（ｂ）近距離通信ターゲット装置として動作する装置であって、
（ａ）（ｉ）ターゲット近距離通信装置に、２次トランスポート機構の１つまたはそれより多い候補を識別する近距離通信要求メッセージを送信するように構成された送信機と、
（ｉｉ）応答メッセージを前記ターゲット近距離通信装置から受信するように構成された装置であって、該応答メッセージは２次トランスポート機構の前記１つまたはそれより多い候補のどれが前記ターゲット近距離通信装置でサポートされているかを指示し且つ接続を確立するのに必要な情報を含む、受信するように構成された装置と、
（ｉｉｉ）前記ターゲット近距離通信装置でどれがサポートされているか、または規則、または両方に従って、２次トランスポート機構を選択するように構成された装置と、
（ｉｖ）前記近距離通信イニシエータ装置の前記２次トランスポート機構におけるロールを決定するように構成された装置と、
（ｖ）前記２次トランスポート機構を使用して前記接続を介して情報を交換するための通信に前記ターゲット近距離通信装置と共に参加するように構成された装置と、
を備える、近距離通信イニシエータ装置として動作するように構成された装置、または、
（ｂ）（ｉ）イニシエータ近距離通信装置から応答メッセージを受信するように構成された装置と、
（ｉｉ）前記イニシエータ近距離通信装置と情報を交換するための２次トランスポート機構を決定するように構成された装置と、
（ｉｉｉ）応答メッセージ回答を送信するように構成された装置であって、該応答メッセージは前記イニシエータ近距離通信装置に、前記２次トランスポート機構を指示し且つ該２次トランスポート機構を介して接続を確立するのに必要な情報を含む、送信するように構成された装置と、
（ｉｖ）前記ターゲット近距離通信装置の前記２次トランスポート機構におけるロールを決定するように構成された装置と、
（ｖ）前記２次トランスポート機構を使用して情報を交換するための通信に前記イニシエータ近距離通信装置と共に参加するように構成された装置と、
を備える、近距離通信ターゲット装置として動作するように構成された装置を備える装置。
【請求項４８】
近距離通信イニシエータ装置または近距離通信ターゲット装置の何れかとして前記装置を動作させる場合、（ａ）前記要求メッセージまたは（ｂ）前記応答メッセージ中の前記イニシエータ近距離通信装置または前記近距離通信ターゲット装置のロールを識別するように構成された、請求項４７に記載の装置。
【請求項４９】
近距離通信イニシエータ装置または近距離通信ターゲット装置の何れかとして前記装置を動作させる場合、ロールが規則に従って決定される、請求項４７に記載の装置。
【請求項５０】
イニシエータ装置またはターゲット装置の何れかとして前記装置を動作させる場合、前記ロールが、それぞれ、前記ターゲット装置からの応答メッセージまたは前記イニシエータ装置からの前記要求メッセージの指示に従って決定される、請求項４８に記載の装置。
【請求項５１】
イニシエータ装置として前記装置を動作させる場合、２次トランスポート機構を選択するように構成された前記装置が、
ターゲット装置でサポートされる前記２次トランスポート機構の候補と、前記ターゲット装置に送信された要求メッセージで識別された該２次トランスポート機構の１つまたはそれより多い候補とを比較するように構成された装置と、
前記２次トランスポート機構を使用して情報を交換するための通信の確立に前記ターゲット装置と共に参加するステップで使用するため該ターゲット装置でサポートされる前記２次トランスポート機構の１つを決定するように構成された装置とを備える、請求項４７に記載の装置。
【請求項５２】
ターゲット装置として前記装置を動作させる場合、決定するように構成された前記装置が、
前記ターゲット装置によって受信される前記要求メッセージで前記イニシエータ装置によって識別される２次トランスポート機構の１つまたはそれより多い候補を比較するように構成された装置と、
前記２次トランスポート機構の１つまたはそれより多い候補が前記ターゲット装置でサポートされていることを決定するように構成された装置とを備え、
その際前記送信するように構成された装置が、前記ターゲット装置でサポートされる前記２次トランスポート機構の１つまたはそれより多い候補を指示する前記応答メッセージを前記イニシエータ装置に送信できる、請求項５１に記載の装置。
【請求項５３】
ターゲット装置として前記装置を動作させる場合、前記決定するように構成された装置が、
前記ターゲット装置によって受信される前記要求メッセージで前記イニシエータ装置によって識別される２次トランスポート機構の１つまたはそれより多い候補を比較するように構成された装置と、
２次トランスポート機構の１つまたはそれより多い候補が前記ターゲット装置でサポートされていることを決定するように構成された装置とを備え、
その際前記送信するように構成された装置が、前記ターゲット装置でサポートされる前記２次トランスポート機構の１つまたはそれより多い候補を指示する前記応答メッセージを前記イニシエータ装置に送信する、請求項４７に記載の装置。
【請求項５４】
近距離通信イニシエータ装置または近距離通信ターゲット装置の何れかとして動作する場合、前記装置が、（ａ）前記要求メッセージまたは（ｂ）前記応答メッセージ中のイニシエータ近距離通信装置または近距離通信ターゲット装置のロールを指示するように構成された装置をさらに備える、請求項５２に記載の装置。
【請求項５５】
前記ロールが規則に従って決定される、請求項５４に記載の装置。
【請求項５６】
イニシエータ装置またはターゲット装置として前記装置を動作させる場合、前記ロールが、それぞれ、前記ターゲット装置からの前記応答メッセージまたは前記イニシエータ装置からの前記要求メッセージの指示に従って決定される、請求項５４に記載の装置。
【請求項５７】
イニシエータ近距離通信装置であって、
ターゲット近距離通信装置に、２次トランスポート機構の１つまたはそれより多い候補を識別する近距離通信要求メッセージを送信するように構成された装置と、
応答メッセージを前記ターゲット近距離通信装置から受信するように構成された装置であって、該応答メッセージは前記２次トランスポート機構の１つまたはそれより多い候補のどれが前記ターゲット近距離通信装置でサポートされているかを指示し且つ接続を確立するのに必要な情報を含む、受信するように構成された装置と、
前記ターゲット近距離通信装置でどれがサポートされているか、または規則、または両方に従って、２次トランスポート機構を選択するように構成された装置と、
前記イニシエータ近距離通信装置の前記２次トランスポート機構におけるロールを決定するように構成された装置と、
前記２次トランスポート機構を使用して前記接続を介して情報を交換するための通信に前記ターゲット近距離通信装置と共に参加するように構成された装置とを備えるイニシエータ近距離通信装置。
【請求項５８】
前記要求メッセージ中の前記イニシエータ近距離通信装置のロールを識別、または前記応答メッセージから前記ロールを決定するように構成された装置をさらに備える、請求項５７に記載のイニシエータ近距離通信装置。
【請求項５９】
前記ロールが規則に従って決定される、請求項５７に記載のイニシエータ近距離通信装置。
【請求項６０】
前記ロールが、前記ターゲット近距離通信装置からの前記応答メッセージ中の指示に従って決定される、請求項５７に記載のイニシエータ近距離通信装置。
【請求項６１】
２次トランスポート機構を選択するように構成された前記装置が、
前記ターゲット近距離通信装置でサポートされる２次トランスポート機構の前記候補と、該ターゲット近距離通信装置に送信された前記要求メッセージで識別された２次トランスポート機構の前記１つまたはそれより多い候補とを比較するように構成された装置と、
前記２次トランスポート機構を使用して情報を交換するための通信に前記ターゲット近距離通信装置と共に参加する前記ステップで使用するため前記ターゲット近距離通信装置でサポートされる前記２次トランスポート機構の１つを決定するように構成された装置とを備える、請求項５７に記載のイニシエータ近距離通信装置。
【請求項６２】
前記要求メッセージで前記イニシエータ近距離通信装置の前記ロールを識別、または前記応答メッセージから前記ロールを決定するように構成された装置をさらに備える、請求項６１に記載のイニシエータ近距離通信装置。
【請求項６３】
前記ロールが規則に従って決定される、請求項６２に記載のイニシエータ近距離通信装置。
【請求項６４】
前記ロールが、前記ターゲット近距離通信装置からの前記応答メッセージ中の指示に従って決定される、請求項６２に記載のイニシエータ近距離通信装置。
【請求項６５】
ターゲット近距離通信装置であって、
イニシエータ近距離通信装置から近距離通信要求メッセージを受信するように構成された装置と、
前記イニシエータ近距離通信装置と情報を交換するための２次トランスポート機構を決定するように構成された装置と、
前記ターゲット近距離通信装置の前記２次トランスポート機構におけるロールを決定するように構成された装置と、
応答メッセージを送信するように構成された装置であって、該応答メッセージは前記イニシエータ近距離通信装置に、前記２次トランスポート機構を指示し且つ該２次トランスポート機構を介して接続を確立するのに必要な情報を含む、送信するように構成された装置と、
前記２次トランスポート機構を使用して情報を交換するための通信に前記イニシエータ近距離通信装置と共に参加するように構成された装置とを備えるターゲット近距離通信装置。
【請求項６６】
前記応答メッセージ中の前記ターゲット近距離通信装置の前記ロールを識別するように構成された装置をさらに備える、請求項６５に記載のターゲット近距離通信装置。
【請求項６７】
前記ロールが規則に従って決定される、請求項６５に記載のターゲット近距離通信装置。
【請求項６８】
前記ロールが、前記イニシエータ近距離通信装置からの前記要求メッセージ中の指示に従って決定される、請求項６５に記載の装置。
【請求項６９】
前記決定するように構成された装置が、
前記ターゲット近距離通信装置によって受信される前記要求メッセージで前記イニシエータ近距離通信装置によって識別される２次トランスポート機構の１つまたはそれより多い候補を比較するように構成された装置と、
前記２次トランスポート機構の１つまたはそれより多い候補が前記ターゲットＮＦＣ装置でサポートされていることを決定するように構成された装置とを備え、
前記イニシエータ近距離通信装置に前記応答メッセージを送信するように構成された前記装置が、前記ターゲット近距離通信装置でサポートされる前記２次トランスポート機構の前記１つまたはそれより多い候補を指示する、請求項６５に記載のターゲット近距離通信装置。
【請求項７０】
前記応答メッセージで前記ターゲット近距離通信装置の前記ロールを識別するように構成された装置をさらに備える、請求項６９に記載のターゲット近距離通信装置。
【請求項７１】
前記ロールが規則に従って決定される、請求項７０に記載のターゲット近距離通信装置。
【請求項７２】
前記ロールが、前記イニシエータ近距離通信装置からの前記要求メッセージ中の指示に従って決定される、請求項７０に記載の装置。
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
ターゲット近距離通信装置によって実行される方法であって、
イニシエータ近距離通信装置から近距離通信要求メッセージを受信するステップと、
前記イニシエータ近距離通信装置と情報を交換するための２次トランスポート機構を決定するステップと、
前記ターゲット近距離通信装置の前記２次トランスポート機構におけるロールを決定するステップと、
応答メッセージを前記イニシエータ近距離通信装置に送信するステップであって、該応答メッセージは前記２次トランスポート機構を指示し且つ該２次トランスポート機構を介して接続を確立するのに必要な情報を含む、送信するステップと、
前記２次トランスポート機構を使用して前記情報を交換するための通信に前記イニシエータ近距離通信装置と共に参加するステップとを有する方法。
【請求項２】
前記応答メッセージで前記ターゲット近距離通信装置の前記ロールを識別するステップをさらに有する請求項１に記載の方法。
【請求項３】
前記ロールが規則に従って決定される、請求項１に記載の方法。
【請求項４】
前記ロールが、前記イニシエータ近距離通信装置からの前記メッセージ中の指示に従って決定される、請求項１に記載の方法。
【請求項５】
前記決定ステップが、
前記ターゲット近距離通信装置によって受信される前記要求メッセージで前記イニシエータ近距離通信装置によって識別される２次トランスポート機構の１つまたはそれより多い候補を比較するステップと、
前記２次トランスポート機構の１つまたはそれより多い候補が前記ターゲット近距離通信装置でサポートされていることを決定するステップとを有し、
その際前記送信ステップが、前記ターゲット近距離通信装置でサポートされる前記２次トランスポート機構の前記１つまたはそれより多い候補を指示する前記応答メッセージを前記イニシエータ近距離通信装置に送信するステップを有する、請求項１に記載の方法。
【請求項６】
前記応答メッセージで前記ターゲット近距離通信装置の前記ロールを識別するステップをさらに有する請求項５に記載の方法。
【請求項７】
前記ロールが規則に従って決定される、請求項６に記載の方法。
【請求項８】
前記ロールが、前記イニシエータ近距離通信装置からの前記要求メッセージ中の指示に従って決定される、請求項６に記載の方法。
【請求項９】
ターゲット近距離通信装置であって、
イニシエータ近距離通信装置から近距離通信要求メッセージを受信する手段と、
前記イニシエータ近距離通信装置と情報を交換するための２次トランスポート機構を決定する手段と、
前記ターゲット近距離通信装置の前記２次トランスポート機構におけるロールを決定する手段と、
応答メッセージを前記イニシエータ近距離通信装置に送信する手段であって、該応答メッセージは前記２次トランスポート機構を指示し且つ該２次トランスポート機構を介して接続を確立するのに必要な情報を含む、送信する手段と、
前記２次トランスポート機構を使用して前記情報を交換するための通信に前記イニシエータ近距離通信装置と共に参加する手段とを備えるターゲット近距離通信装置。
【請求項１０】
前記応答メッセージで前記ターゲット近距離通信装置の前記ロールを識別する手段をさらに備える、請求項９に記載のターゲット近距離通信装置。
【請求項１１】
前記ロールが規則に従って決定される、請求項９に記載のターゲット近距離通信装置。
【請求項１２】
前記ロールが、前記イニシエータ近距離通信装置からの前記要求メッセージ中の指示に従って決定される、請求項９に記載のターゲット近距離通信装置。
【請求項１３】
前記決定手段が、
前記ターゲット近距離通信装置によって受信される前記要求メッセージで前記イニシエータ近距離通信装置によって識別される２次トランスポート機構の１つまたはそれより多い候補を比較する手段と、
前記２次トランスポート機構の１つまたはそれより多い候補が前記ターゲット近距離通信装置でサポートされていることを決定する手段とを備え、
その際前記応答メッセージを前記イニシエータ近距離通信装置に送信する前記手段が、前記ターゲット近距離通信装置でサポートされる前記２次トランスポート機構の前記１つまたはそれより多い候補を指示する、請求項９に記載のターゲット近距離通信装置。
【請求項１４】
前記応答メッセージで前記ターゲット近距離通信装置の前記ロールを識別する手段をさらに備える、請求項１３に記載のターゲット近距離通信装置。
【請求項１５】
前記ロールが規則に従って決定される、請求項１４に記載のターゲット近距離通信装置。
【請求項１６】
前記ロールが、前記イニシエータ近距離通信装置からの前記要求メッセージ中の指示に従って決定される、請求項１４に記載のターゲット近距離通信装置。
【請求項１７】
ターゲット近距離通信装置で請求項１のステップを実行する、コンピュータ可読媒体上に格納されたコンピュータプログラム。
【請求項１８】
ターゲット近距離通信装置で請求項１のステップを実行する集積回路。
【請求項１９】
イニシエータ近距離通信装置によって実行される方法であって、
ターゲット近距離通信装置に近距離通信要求メッセージを送信するステップと、
２次トランスポート機構の１つまたはそれより多い候補を識別するステップと、
応答メッセージを前記ターゲット近距離通信装置から受信するステップであって、該応答メッセージは２次トランスポート機構の前記１つまたはそれより多い候補のどれが前記ターゲット近距離通信装置でサポートされているかを指示し且つ接続を確立するのに必要な情報を含む、受信するステップと、
前記ターゲット近距離通信装置でどれがサポートされているか、または規則、または両方に従って、２次トランスポート機構を選択するステップと、
前記イニシエータ近距離通信装置の前記２次トランスポート機構におけるロールを決定するステップと、
前記２次トランスポート機構を使用して前記接続を介して情報を交換するための通信に前記ターゲット近距離通信装置と共に参加するステップとを有する方法。
【請求項２０】
前記要求メッセージで前記イニシエータ近距離通信装置の前記ロールを識別するステップ、または前記応答メッセージから前記ロールを決定するステップをさらに有する請求項１９に記載の方法。
【請求項２１】
前記ロールが規則に従って決定される、請求項１９に記載の方法。
【請求項２２】
前記ロールが、前記ターゲット近距離通信装置からの前記応答メッセージ中の指示に従って決定される、請求項１９に記載の方法。
【請求項２３】
２次トランスポート機構を選択する前記ステップが、
前記ターゲット近距離通信装置でサポートされる２次トランスポート機構の前記候補と、該ターゲット近距離通信装置に送信された前記要求メッセージで識別された２次トランスポート機構の前記１つまたはそれより多い候補とを比較するステップと、
前記２次トランスポート機構を使用して情報を交換するための通信に前記ターゲット近距離通信装置と共に参加する前記ステップで使用するため前記ターゲット近距離通信装置でサポートされる前記２次トランスポート機構の１つを決定するステップとを有する、請求項１９に記載の方法。
【請求項２４】
前記要求メッセージで前記イニシエータ近距離通信装置の前記ロールを識別するステップ、または前記応答メッセージから前記ロールを決定するステップをさらに有する請求項２３に記載の方法。
【請求項２５】
前記ロールが規則に従って決定される、請求項２４に記載の方法。
【請求項２６】
前記ロールが、前記ターゲット近距離通信装置からの前記応答メッセージ中の指示に従って決定される、請求項２４に記載の方法。
【請求項２７】
イニシエータ近距離通信装置であって、
ターゲット近距離通信装置に、２次トランスポート機構の１つまたはそれより多い候補を識別する近距離通信要求メッセージを送信する手段と、
応答メッセージを前記ターゲット近距離通信装置から受信する手段であって、該応答メッセージは２次トランスポート機構の前記１つまたはそれより多い候補のどれが前記ターゲット近距離通信装置でサポートされているかを指示し且つ接続を確立するのに必要な情報を含む、受信する手段と、
前記ターゲット近距離通信装置でどれがサポートされているか、または規則、または両方に従って、２次トランスポート機構を選択する手段と、
前記イニシエータ近距離通信装置の前記２次トランスポート機構におけるロールを決定する手段と、
前記２次トランスポート機構を使用して前記接続を介して情報を交換するための通信に前記ターゲット近距離通信装置と共に参加する手段とを備えるイニシエータ近距離通信装置。
【請求項２８】
前記要求メッセージで前記イニシエータ近距離通信装置のロールを識別する手段、または前記応答メッセージから前記ロールを決定する手段を備える、請求項２７に記載のイニシエータ近距離通信装置。
【請求項２９】
前記ロールが規則に従って決定される、請求項２７に記載のイニシエータ近距離通信装置。
【請求項３０】
前記ロールが、前記ターゲット近距離通信装置からの前記応答メッセージ中の指示に従って決定される、請求項２７に記載のイニシエータ近距離通信装置。
【請求項３１】
２次トランスポート機構を選択する前記手段が、
前記ターゲット近距離通信装置でサポートされる２次トランスポート機構の前記候補と、ターゲット近距離通信装置に送信された前記要求メッセージで識別された２次トランスポート機構の前記１つまたはそれより多い候補とを比較する手段と、
前記２次トランスポート機構を使用して情報を交換するための通信に前記ターゲット近距離通信装置と共に参加する前記ステップで使用するため前記ターゲット近距離通信装置でサポートされる前記２次トランスポート機構の１つを決定する手段とを備える、請求項２７に記載のイニシエータ近距離通信装置。
【請求項３２】
前記要求メッセージで前記イニシエータ近距離通信装置の前記ロールを識別する手段、または前記応答メッセージから前記ロールを決定する手段を備える、請求項３１に記載のイニシエータ近距離通信装置。
【請求項３３】
前記ロールが規則に従って決定される、請求項３２に記載のイニシエータ近距離通信装置。
【請求項３４】
前記ロールが、前記ターゲット近距離通信装置からの前記応答メッセージ中の指示に従って決定される、請求項３２に記載のイニシエータ近距離通信装置。
【請求項３５】
前記ターゲット近距離通信装置内で請求項１９のステップを実行する、コンピュータ可読媒体上に格納されたコンピュータプログラム。
【請求項３６】
ターゲット近距離通信装置内で請求項１９のステップを実行する集積回路。
【請求項３７】
（ａ）近距離通信イニシエータ装置または（ｂ）近距離通信ターゲット装置として装置を動作させる方法であって、
（ａ）（ｉ）ターゲット近距離通信装置に、２次トランスポート機構の１つまたはそれより多い候補を識別する近距離通信要求メッセージを送信することと、
（ｉｉ）応答メッセージを前記ターゲット近距離通信装置から受信することであって、該応答メッセージは２次トランスポート機構の前記１つまたはそれより多い候補のどれが前記ターゲット近距離通信装置でサポートされているかを指示し且つ接続を確立するのに必要な情報を含む、受信することと、
（ｉｉｉ）前記ターゲット近距離通信装置でどれがサポートされているか、または規則、または両方に従って、２次トランスポート機構を選択することと、
（ｉｖ）前記近距離通信イニシエータ装置の前記２次トランスポート機構におけるロールを決定することと、
（ｖ）前記２次トランスポート機構を使用して前記接続を介して情報を交換するための通信に前記ターゲット近距離通信装置と共に参加することと、
によって、近距離通信イニシエータ装置として前記装置を動作させるステップ、または、
（ｂ）（ｉ）イニシエータ近距離通信装置から応答メッセージを受信することと、
（ｉｉ）前記イニシエータ近距離通信装置と情報を交換するための２次トランスポート機構を決定することと、
（ｉｉｉ）前記イニシエータ近距離通信装置に、応答メッセージ回答を送信することであって、該応答メッセージは前記２次トランスポート機構を指示し且つ該２次トランスポート機構を介して接続を確立するのに必要な情報を含む、送信することと、
（ｉｖ）前記ターゲット近距離通信装置の前記２次トランスポート機構におけるロールを決定することと、
（ｖ）前記２次トランスポート機構を使用して前記情報を交換するための通信に前記イニシエータ近距離通信装置と共に参加することと、
によって、近距離通信ターゲット装置として前記装置を動作させるステップを有する方法。
【請求項３８】
近距離通信イニシエータ装置または近距離通信ターゲット装置の何れかとして前記装置を動作させる場合、前記方法が、（ａ）前記要求メッセージまたは（ｂ）前記応答メッセージ中の前記イニシエータ近距離通信装置または前記近距離通信ターゲット装置の前記ロールを識別するステップをさらに有する、請求項３７に記載の方法。
【請求項３９】
近距離通信イニシエータ装置または近距離通信ターゲット装置として前記装置を動作させる場合、前記ロールが規則に従って決定される、請求項３７に記載の方法。
【請求項４０】
近距離通信イニシエータ装置または近距離通信ターゲット装置として前記装置を動作させる場合、前記ロールが、それぞれ、前記ターゲット近距離通信装置からの応答メッセージまたは前記イニシエータ近距離通信装置からの前記要求メッセージの指示に従って決定される、請求項３８に記載の方法。
【請求項４１】
近距離通信イニシエータ装置として前記装置を動作させる場合、２次トランスポート機構を選択する前記ステップが、
前記ターゲット近距離通信装置でサポートされる２次トランスポート機構の前記候補と、ターゲット近距離通信装置に送信された要求メッセージで識別された２次トランスポート機構の前記１つまたはそれより多い候補とを比較するステップと、
前記２次トランスポート機構を使用して情報を交換するための通信の確立に前記ターゲット近距離通信装置と共に参加する前記ステップで使用するため前記ターゲット近距離通信装置でサポートされる前記２次トランスポート機構の１つを決定するステップとを有する、請求項３７に記載の方法。
【請求項４２】
近距離通信ターゲット装置として前記装置を動作させる場合、前記決定ステップが、
前記ターゲット近距離通信装置によって受信される前記要求メッセージ中で前記イニシエータ近距離通信装置によって識別される２次トランスポート機構の１つまたはそれより多い候補を比較するステップと、
前記２次トランスポート機構の１つまたはそれより多い候補が前記ターゲット近距離通信装置でサポートされていることを決定するステップとを含み、
その際前記送信ステップが、前記ターゲット近距離通信装置でサポートされる前記２次トランスポート機構の前記１つまたはそれより多い候補を指示する前記応答メッセージを前記イニシエータ近距離通信装置に送信するステップを有する、請求項４１に記載の方法。
【請求項４３】
近距離通信ターゲット装置として前記装置を動作させる場合、前記決定ステップが、
前記ターゲット近距離通信装置によって受信される前記要求メッセージ中で前記イニシエータ近距離通信装置によって識別される２次トランスポート機構の１つまたはそれより多い候補を比較するステップと、
前記２次トランスポート機構の１つまたはそれより多い候補が前記ターゲット近距離通信装置でサポートされていることを決定するステップとを有し、
その際前記送信ステップが、前記ターゲット近距離通信装置でサポートされる前記２次トランスポート機構の前記１つまたはそれより多い候補を指示する前記応答メッセージを前記イニシエータ近距離通信装置に送信するステップを有する、請求項３７に記載の方法。
【請求項４４】
近距離通信イニシエータ装置または近距離通信ターゲット装置の何れかとして前記装置を動作させる場合、前記方法が、（ａ）前記要求メッセージまたは（ｂ）前記応答メッセージ中の前記イニシエータ近距離通信装置または前記近距離通信ターゲット装置の前記ロールを指示するステップをさらに有する、請求項４２に記載の方法。
【請求項４５】
前記ロールが規則に従って決定される、請求項４４に記載の方法。
【請求項４６】
近距離通信イニシエータ装置または近距離通信ターゲット装置として前記装置を動作させる場合、前記ロールが、それぞれ、前記ターゲット近距離通信装置からの前記応答メッセージまたは前記イニシエータ近距離通信装置からの前記要求メッセージの指示に従って決定される、請求項４４に記載の方法。
【請求項４７】
（ａ）近距離通信イニシエータ装置または（ｂ）近距離通信ターゲット装置として動作する装置であって、
（ａ）（ｉ）ターゲット近距離通信装置に、２次トランスポート機構の１つまたはそれより多い候補を識別する近距離通信要求メッセージを送信するように構成された送信機と、
（ｉｉ）応答メッセージを前記ターゲット近距離通信装置から受信するように構成された装置であって、該応答メッセージは２次トランスポート機構の前記１つまたはそれより多い候補のどれが前記ターゲット近距離通信装置でサポートされているかを指示し且つ接続を確立するのに必要な情報を含む、受信するように構成された装置と、
（ｉｉｉ）前記ターゲット近距離通信装置でどれがサポートされているか、または規則、または両方に従って、２次トランスポート機構を選択するように構成された装置と、
（ｉｖ）前記近距離通信イニシエータ装置の前記２次トランスポート機構におけるロールを決定するように構成された装置と、
（ｖ）前記２次トランスポート機構を使用して前記接続を介して情報を交換するための通信に前記ターゲット近距離通信装置と共に参加するように構成された装置と、
を備える、近距離通信イニシエータ装置として動作するように構成された装置、または、
（ｂ）（ｉ）イニシエータ近距離通信装置から応答メッセージを受信するように構成された装置と、
（ｉｉ）前記イニシエータ近距離通信装置と情報を交換するための２次トランスポート機構を決定するように構成された装置と、
（ｉｉｉ）応答メッセージ回答を送信するように構成された装置であって、該応答メッセージは前記イニシエータ近距離通信装置に、前記２次トランスポート機構を指示し且つ該２次トランスポート機構を介して接続を確立するのに必要な情報を含む、送信するように構成された装置と、
（ｉｖ）前記ターゲット近距離通信装置の前記２次トランスポート機構におけるロールを決定するように構成された装置と、
（ｖ）前記２次トランスポート機構を使用して情報を交換するための通信に前記イニシエータ近距離通信装置と共に参加するように構成された装置と、
を備える、近距離通信ターゲット装置として動作するように構成された装置を備える装置。
【請求項４８】
近距離通信イニシエータ装置または近距離通信ターゲット装置の何れかとして前記装置を動作させる場合、（ａ）前記要求メッセージまたは（ｂ）前記応答メッセージ中の前記イニシエータ近距離通信装置または前記近距離通信ターゲット装置のロールを識別するように構成された、請求項４７に記載の装置。
【請求項４９】
近距離通信イニシエータ装置または近距離通信ターゲット装置の何れかとして前記装置を動作させる場合、ロールが規則に従って決定される、請求項４７に記載の装置。
【請求項５０】
イニシエータ装置またはターゲット装置の何れかとして前記装置を動作させる場合、前記ロールが、それぞれ、前記ターゲット装置からの応答メッセージまたは前記イニシエータ装置からの前記要求メッセージの指示に従って決定される、請求項４８に記載の装置。
【請求項５１】
イニシエータ装置として前記装置を動作させる場合、２次トランスポート機構を選択するように構成された前記装置が、
ターゲット装置でサポートされる前記２次トランスポート機構の候補と、前記ターゲット装置に送信された要求メッセージで識別された該２次トランスポート機構の１つまたはそれより多い候補とを比較するように構成された装置と、
前記２次トランスポート機構を使用して情報を交換するための通信の確立に前記ターゲット装置と共に参加するステップで使用するため該ターゲット装置でサポートされる前記２次トランスポート機構の１つを決定するように構成された装置とを備える、請求項４７に記載の装置。
【請求項５２】
ターゲット装置として前記装置を動作させる場合、決定するように構成された前記装置が、
前記ターゲット装置によって受信される前記要求メッセージで前記イニシエータ装置によって識別される２次トランスポート機構の１つまたはそれより多い候補を比較するように構成された装置と、
前記２次トランスポート機構の１つまたはそれより多い候補が前記ターゲット装置でサポートされていることを決定するように構成された装置とを備え、
その際前記送信するように構成された装置が、前記ターゲット装置でサポートされる前記２次トランスポート機構の１つまたはそれより多い候補を指示する前記応答メッセージを前記イニシエータ装置に送信できる、請求項５１に記載の装置。
【請求項５３】
ターゲット装置として前記装置を動作させる場合、前記決定するように構成された装置が、
前記ターゲット装置によって受信される前記要求メッセージで前記イニシエータ装置によって識別される２次トランスポート機構の１つまたはそれより多い候補を比較するように構成された装置と、
２次トランスポート機構の１つまたはそれより多い候補が前記ターゲット装置でサポートされていることを決定するように構成された装置とを備え、
その際前記送信するように構成された装置が、前記ターゲット装置でサポートされる前記２次トランスポート機構の１つまたはそれより多い候補を指示する前記応答メッセージを前記イニシエータ装置に送信する、請求項４７に記載の装置。
【請求項５４】
近距離通信イニシエータ装置または近距離通信ターゲット装置の何れかとして動作する場合、前記装置が、（ａ）前記要求メッセージまたは（ｂ）前記応答メッセージ中のイニシエータ近距離通信装置または近距離通信ターゲット装置のロールを指示するように構成された装置をさらに備える、請求項５２に記載の装置。
【請求項５５】
前記ロールが規則に従って決定される、請求項５４に記載の装置。
【請求項５６】
イニシエータ装置またはターゲット装置として前記装置を動作させる場合、前記ロールが、それぞれ、前記ターゲット装置からの前記応答メッセージまたは前記イニシエータ装置からの前記要求メッセージの指示に従って決定される、請求項５４に記載の装置。
【請求項５７】
イニシエータ近距離通信装置であって、
ターゲット近距離通信装置に、２次トランスポート機構の１つまたはそれより多い候補を識別する近距離通信要求メッセージを送信するように構成された装置と、
応答メッセージを前記ターゲット近距離通信装置から受信するように構成された装置であって、該応答メッセージは前記２次トランスポート機構の１つまたはそれより多い候補のどれが前記ターゲット近距離通信装置でサポートされているかを指示し且つ接続を確立するのに必要な情報を含む、受信するように構成された装置と、
前記ターゲット近距離通信装置でどれがサポートされているか、または規則、または両方に従って、２次トランスポート機構を選択するように構成された装置と、
前記イニシエータ近距離通信装置の前記２次トランスポート機構におけるロールを決定するように構成された装置と、
前記２次トランスポート機構を使用して前記接続を介して情報を交換するための通信に前記ターゲット近距離通信装置と共に参加するように構成された装置とを備えるイニシエータ近距離通信装置。
【請求項５８】
前記要求メッセージ中の前記イニシエータ近距離通信装置のロールを識別、または前記応答メッセージから前記ロールを決定するように構成された装置をさらに備える、請求項５７に記載のイニシエータ近距離通信装置。
【請求項５９】
前記ロールが規則に従って決定される、請求項５７に記載のイニシエータ近距離通信装置。
【請求項６０】
前記ロールが、前記ターゲット近距離通信装置からの前記応答メッセージ中の指示に従って決定される、請求項５７に記載のイニシエータ近距離通信装置。
【請求項６１】
２次トランスポート機構を選択するように構成された前記装置が、
前記ターゲット近距離通信装置でサポートされる２次トランスポート機構の前記候補と、該ターゲット近距離通信装置に送信された前記要求メッセージで識別された２次トランスポート機構の前記１つまたはそれより多い候補とを比較するように構成された装置と、
前記２次トランスポート機構を使用して情報を交換するための通信に前記ターゲット近距離通信装置と共に参加する前記ステップで使用するため前記ターゲット近距離通信装置でサポートされる前記２次トランスポート機構の１つを決定するように構成された装置とを備える、請求項５７に記載のイニシエータ近距離通信装置。
【請求項６２】
前記要求メッセージで前記イニシエータ近距離通信装置の前記ロールを識別、または前記応答メッセージから前記ロールを決定するように構成された装置をさらに備える、請求項６１に記載のイニシエータ近距離通信装置。
【請求項６３】
前記ロールが規則に従って決定される、請求項６２に記載のイニシエータ近距離通信装置。
【請求項６４】
前記ロールが、前記ターゲット近距離通信装置からの前記応答メッセージ中の指示に従って決定される、請求項６２に記載のイニシエータ近距離通信装置。
【請求項６５】
プロセッサを有するターゲット近距離通信装置であって、該プロセッサは、
イニシエータ近距離通信装置から近距離通信要求メッセージを受信するように構成され、
前記イニシエータ近距離通信装置と情報を交換するための２次トランスポート機構を決定するように構成され、
前記ターゲット近距離通信装置の前記２次トランスポート機構におけるロールを決定するように構成され、
前記イニシエータ近距離通信装置に応答メッセージを送信するように構成され、該応答メッセージは前記２次トランスポート機構を指示し且つ該２次トランスポート機構を介して接続を確立するのに必要な情報を含み、かつ
前記２次トランスポート機構を使用して情報を交換するための通信に前記イニシエータ近距離通信装置と共に参加するように構成される、
ターゲット近距離通信装置。
【請求項６６】
前記プロセッサは、前記応答メッセージ中の前記ターゲット近距離通信装置の前記ロールを識別するように構成される、請求項６５に記載のターゲット近距離通信装置。
【請求項６７】
前記ロールが規則に従って決定される、請求項６５に記載のターゲット近距離通信装置。
【請求項６８】
前記ロールが、前記イニシエータ近距離通信装置からの前記要求メッセージ中の指示に従って決定される、請求項６５に記載の装置。
【請求項６９】
前記プロセッサが、
前記ターゲット近距離通信装置によって受信される前記要求メッセージで前記イニシエータ近距離通信装置によって識別される２次トランスポート機構の１つまたはそれより多い候補を比較するように構成され、かつ
前記２次トランスポート機構の１つまたはそれより多い候補が前記ターゲットＮＦＣ装置でサポートされていることを決定するように構成され、
前記イニシエータ近距離通信装置に前記応答メッセージを送信するように構成された前記プロセッサが、前記ターゲット近距離通信装置でサポートされる前記２次トランスポート機構の前記１つまたはそれより多い候補を指示する、請求項６５に記載のターゲット近距離通信装置。
【請求項７０】
前記プロセッサは、前記応答メッセージで前記ターゲット近距離通信装置の前記ロールを識別するように構成される、請求項６９に記載のターゲット近距離通信装置。
【請求項７１】
前記ロールが規則に従って決定される、請求項７０に記載のターゲット近距離通信装置。
【請求項７２】
前記ロールが、前記イニシエータ近距離通信装置からの前記要求メッセージ中の指示に従って決定される、請求項７０に記載の装置。
【国際調査報告】
2008545312.tif 000012
2008545312.tif 000013
2008545312.tif 000014
2008545312.tif 000015